(57)【要約】【課題】エネルギー抑制および各物件における快適性の確保の双方を考慮したエネルギー管理システムを提供することにある。【解決手段】本発明のエネルギー管理システム１００は、エネルギー管理装置１０と、制御装置３０，３０とを備えるエネルギー管理システムである。エネルギー管理装置は、複数物件の上位に位置し、各物件に設置された設備機器に供給されるエネルギーを管理する。制御装置は、エネルギー管理装置に接続され、各物件の設備機器を制御する。制御装置は、運転状況把握部３６ａ，２３６ａ，３３６ａ，４３６ａと、抑制可能量提示部３６ｇ，２３６ｇ，３３６ｇ，４３６ｇとを有する。運転状況把握部は、設備機器の運転状況を把握する。抑制可能量提示部は、運転状況に基づいて、設備機器のエネルギー抑制可能量であって、条件別の複数のエネルギー抑制可能量をエネルギー管理装置に提示する。これにより、エネルギー抑制と、各物件における快適性の確保との双方を考慮することができる。【選択図】図１
2011193577.tif 000002
【特許請求の範囲】
【請求項１】
複数物件の上位に位置し、各物件に設置された設備機器に供給されるエネルギーを管理するエネルギー管理装置（１０）と、
前記エネルギー管理装置に接続され、前記各物件の前記設備機器を制御する制御装置（３０，３０）と、
を備え、
前記制御装置は、
前記設備機器の運転状況を把握する運転状況把握部（３６ａ，２３６ａ，３３６ａ，４３６ａ）と、
前記運転状況に基づいて、前記設備機器のエネルギー抑制可能量であって、条件別の複数の前記エネルギー抑制可能量、を前記エネルギー管理装置に提示する抑制可能量提示部（３６ｇ，２３６ｇ，３３６ｇ，４３６ｇ）と
を有する、
エネルギー管理システム。
【請求項２】
前記条件は、前記設備機器のエネルギー抑制の継続時間に関する第１の条件、および前記エネルギー抑制の開始時刻に関する第２の条件の少なくともいずれか一方を含み、
前記エネルギー抑制可能量は、前記エネルギー抑制の継続時間または前記エネルギー抑制の開始時刻に応じて変動する、
請求項１に記載のエネルギー管理システム。
【請求項３】
前記制御装置は、
前記運転状況把握部によって把握された現在の運転状況に基づいて、前記エネルギー抑制を行わない第１制御により消費されるエネルギー量であるエネルギー消費量を算出するエネルギー消費量算出部（３６ｄ，２３６ｄ，３３６ｄ，４３６ｄ）と、
前記条件に応じた前記エネルギー抑制を行う第２制御、により消費されるエネルギー量である推定消費量を算出する推定消費量算出部（３６ｅ，２３６ｅ，３３６ｅ，４３６ｅ）と、
をさらに有し、
前記抑制可能量提示部は、前記エネルギー消費量および前記推定消費量に基づいた前記エネルギー抑制可能量を提示する、
請求項２に記載のエネルギー管理システム。
【請求項４】
前記制御装置は、各設備機器の個々のエネルギーの抑制可能量を記憶する記憶部（３５，２３５，３３５，４３５）をさらに有し、
前記抑制可能量提示部は、前記条件に応じて前記エネルギー抑制を行う設備機器と、前記記憶部に記憶された前記個々のエネルギー抑制可能量とに基づいた、前記物件全体の前記エネルギー抑制可能量を提示する、
請求項２に記載のエネルギー管理システム。
【請求項５】
前記運転状況把握部は、前記設備機器の稼働率、稼動している前記設備機器の種類、前記設備機器の稼働時間、前記設備機器の負荷率、および前記設備機器の運転スケジュールの少なくともいずれか一つを含む前記運転状況を把握する、
請求項１から４のいずれかに記載のエネルギー管理システム。
【請求項６】
前記設備機器は、空調機であり、
前記運転状況把握部は、前記空調機による空調状態が安定している状態である第１状態と、前記空調状態が安定していない状態である第２状態とを把握し、
前記抑制可能量提示部は、前記空調状態に基づいて、前記条件別の前記エネルギー抑制可能量を提示する、
請求項１から５のいずれかに記載のエネルギー管理システム。
【請求項７】
前記制御装置は、
前記抑制可能量提示部による前記エネルギー抑制可能量の提示を制御する提示制御部（３６ｈ，２３６ｈ，３３６ｈ，４３６ｈ）と、
提示した前記エネルギー抑制可能量のうち、前記エネルギー管理装置によって選択されたいずれかの前記エネルギー抑制可能量を実現する制御指令を生成する制御指令生成部（３６ｊ，２３６ｊ，３３６ｊ，４３６ｊ）と
をさらに有し、
前記提示制御部は、
前記制御指令が生成された後の所定時間である第１の時間は、前記抑制可能量提示部による前記エネルギー抑制可能量の提示を制限する第１処理部（３６ｈａ）と、
前記第１の時間とは異なる第２の時間は、前記抑制可能量提示部による前記エネルギー抑制可能量の提示を許容する第２処理部（３６ｈｂ）と
を含む、
請求項１から６のいずれかに記載のエネルギー管理システム。
【請求項８】
前記制御装置は、
前記条件を記憶する条件記憶領域（３５ｂ）と、
ユーザにより入力された快適性の判定結果を記憶する快適性判定結果記憶領域（３５ｅ）と
をさらに有し、
前記条件記憶領域は、前記判定結果に基づいて、前記条件を更新する、
請求項７に記載のエネルギー管理システム。
【発明の詳細な説明】
【技術分野】
【０００１】
本発明は、空調機制御装置に関する。
【背景技術】
【０００２】
従来、複数物件に供給されるエネルギーを管理するエネルギー管理会社は、季節や時間帯に応じて増加するエネルギー量を抑制するために、各物件に対して使用電力の削減を要請している。各物件は、例えば、特許文献１（特開２００５−１０７９０１号公報）にあるように、エネルギー管理会社に対して、抑制可能なエネルギー量および時間帯を提示し、エネルギー管理会社は、提示された抑制可能なエネルギー量および時間帯に応じてエネルギー量を抑制していた。
【発明の概要】
【発明が解決しようとする課題】
【０００３】
ところで、抑制可能なエネルギー量および時間帯は各物件からそれぞれ提示されるため、全ての物件から提示される抑制可能なエネルギー量および時間帯が、全体として妥当なものでない場合もある。一方、エネルギー管理会社が、全物件に対して抑制させるエネルギー量および時間帯を予め決定した場合には、物件における快適性を十分に考慮することができない。
【０００４】
そこで、本発明の課題は、エネルギー抑制および各物件における快適性の確保の双方を考慮したエネルギー管理システムを提供することにある。
【課題を解決するための手段】
【０００５】
第１発明に係るエネルギー管理システムは、エネルギー管理装置と、制御装置とを備えるエネルギー管理システムである。エネルギー管理装置は、複数物件の上位に位置し、各物件に設置された設備機器に供給されるエネルギーを管理する。制御装置は、エネルギー管理装置に接続され、各物件の設備機器を制御する。制御装置は、運転状況把握部と、抑制可能量提示部とを有する。運転状況把握部は、設備機器の運転状況を把握する。抑制可能量提示部は、運転状況に基づいて、設備機器のエネルギー抑制可能量であって、条件別の複数のエネルギー抑制可能量をエネルギー管理装置に提示する。
【０００６】
本発明に係るエネルギー管理システムでは、各物件に設置された制御装置において、設備機器の運転状況が把握される。把握された運転状況に基づいて、条件別の複数のエネルギー抑制可能量がエネルギー管理装置に提示される。
【０００７】
これにより、エネルギー抑制と、各物件における快適性の確保との双方を考慮することができる。
【０００８】
第２発明に係るエネルギー管理システムは、第１発明に係るエネルギー管理システムであって、条件は、第１の条件および第２の条件の少なくともいずれか一方を含む。第１の条件は、設備機器のエネルギー抑制の継続時間に関する条件である。第２の条件は、エネルギー抑制の開始時刻に関する条件である。エネルギー抑制可能量は、エネルギー抑制の継続時間またはエネルギー抑制の開始時刻に応じて変動する。
【０００９】
本発明に係るエネルギー管理システムでは、条件は、第１の条件および第２の条件の少なくともいずれか一方を含む。第１の条件は、エネルギー抑制の継続時刻に関する条件である。第２の条件は、エネルギー抑制の開始時刻に関する条件である。また、エネルギー抑制可能量は、エネルギー抑制の継続時間またはエネルギー抑制の開始時刻に応じて変動する。
【００１０】
影響を与える時間（継続時間および／または開始時刻）を考慮したエネルギー抑制可能量が提示されるため、ユーザの快適性の低下を抑制することができる。
【００１１】
第３発明に係るエネルギー管理システムは、第２発明に係るエネルギー管理システムであって、制御装置は、エネルギー消費量算出部と、推定消費量算出部をさらに有する。エネルギー消費量算出部は、運転状況把握部によって把握された現在の運転状況に基づいて、エネルギー消費量を算出する。エネルギー消費量は、エネルギー抑制を行わない第１制御により消費されるエネルギー量である。推定消費量算出部は、推定消費量を推定する。推定消費量は、条件に応じたエネルギー抑制を行う第２制御により消費されるエネルギー量である。また、抑制可能量提示部は、エネルギー消費量および推定消費量に基づいたエネルギー抑制可能量を提示する。
【００１２】
本発明に係るエネルギー管理システムでは、把握された現在の運転状況に基づいて、エネルギー抑制を行わない制御により消費されるエネルギー量であるエネルギー消費量が算出される。また、各条件に応じたエネルギー抑制を行う場合に消費されるエネルギー量である推定消費量が算出される。エネルギー消費量と、推定消費量とに基づいたエネルギー抑制可能量が提示される。
【００１３】
これにより、運転状況に応じた、条件毎のエネルギー抑制可能量を提示することができる。
【００１４】
第４発明に係るエネルギー管理システムは、第２発明に係るエネルギー管理システムであって、制御装置は、記憶部をさらに有する。記憶部は、各設備機器の、個々のエネルギー抑制可能量を記憶する。抑制可能量提示部は、条件に応じてエネルギー抑制を行う設備機器と、記憶部に記憶された個々のエネルギー抑制可能量とに基づいた、物件全体のエネルギー抑制可能量を提示する。
【００１５】
本発明に係るエネルギー管理システムでは、各設備機器の個々のエネルギー抑制可能量が記憶されている。また、条件に応じてエネルギー抑制を行う設備機器と、当該設備機器のエネルギー抑制可能量とに基づいた、物件全体のエネルギー抑制可能量が提示される。
【００１６】
これにより、運転状況に応じた、条件毎のエネルギー抑制可能量を提示することができる。
【００１７】
第５発明に係るエネルギー管理システムは、第１発明から第４発明のいずれかに係るエネルギー管理システムであって、運転状況把握部は、設備機器の稼働率、稼動している設備機器の種類、設備機器の稼働時間、設備機器の負荷率、および設備機器の運転スケジュールの少なくともいずれか一つを含む運転状況を把握する。
【００１８】
本発明に係るエネルギー管理システムでは、運転状況には、設備機器の稼働率、稼動している設備機器の種類、設備機器の稼働時間、設備機器の負荷率、および設備機器の運転スケジュールの少なくとも一つが含まれる。
【００１９】
これにより、設備機器の運転状況を考慮して、適切なエネルギー抑制可能量を提示することができる。
【００２０】
第６発明に係るエネルギー管理システムは、第１発明または第５発明のいずれかに係るエネルギー管理システムであって、設備機器は、空調機であり。また、運転状況把握部は、第１状態と第２状態とを把握する。第１状態は、空調機による空調状態が安定している状態である。第２状態は、空調状態が安定していない状態である。また、抑制可能量提示部は、空調状態に基づいて、条件別のエネルギー抑制可能量を提示する。
【００２１】
本発明に係るエネルギー管理システムでは、設備機器は空調機であり、運転状況把握部は、空調機による空調状態に基づいて、条件別のエネルギー抑制可能量を提示する。
【００２２】
これにより、空調状態に極端な影響を与えずに、適切なエネルギー抑制を行うことができる。
【００２３】
第７発明に係るエネルギー管理システムは、第１発明から第６発明のいずれかに係るエネルギー管理システムであって、制御装置は、提示制御部と、制御指令生成部とをさらに有する。提示制御部は、抑制可能量提示部によるエネルギー抑制可能量の提示を制御する。制御指令生成部は、制御指令を生成する。制御指令は、提示したエネルギー抑制可能量のうち、エネルギー管理装置によって選択されたいずれかのエネルギー抑制可能量を実現するための指令である。また、提示制御部は、第１処理部と第２処理部とを含む。第１処理部は、第１の時間は抑制可能量提示部によるエネルギー抑制可能量の提示を制限する。第１の時間は、制御指令が生成された後の所定時間である。第２処理部は、抑制可能量提示部によるエネルギー抑制可能量の提示を許容する。第２の時間は、第１の時間とは異なる時間である。
【００２４】
本発明に係るエネルギー管理システムでは、条件別のエネルギー抑制可能量が提示される。また、エネルギー管理装置によって選択されたエネルギー抑制可能量を実現するための制御指令が生成される。制御指令が生成された後の所定時間は、エネルギー抑制可能量の提示が制限され、それ以外の時間はエネルギー抑制可能量が提示される。
【００２５】
これにより、エネルギー抑制が頻繁に実施されることを制限することができる。
【００２６】
第８発明に係るエネルギー管理システムは、第７発明に係るエネルギー管理システムであって、制御装置は、条件記憶領域と、快適性判定結果記憶領域とをさらに有する。条件記憶領域は、条件を記憶する。快適性判定結果記憶領域は、ユーザにより入力された快適性の判定結果を記憶する。条件記憶領域は、判定結果に基づいて、条件を更新する。
【００２７】
本発明に係るエネルギー管理システムでは、ユーザにより入力された快適性の判定結果が記憶される。判定結果に基づいて、エネルギー抑制可能量に関する条件が更新される。
【００２８】
これにより、ユーザにとっての快適性を、一層向上させることができる。
【発明の効果】
【００２９】
第１発明に係るエネルギー管理システムでは、エネルギー抑制と、各物件における快適性の確保との双方を考慮することができる。
【００３０】
第２発明に係るエネルギー管理システムでは、影響を与える時間を考慮したエネルギー抑制可能量が提示されるため、ユーザの快適性の低下を抑制することができる。
【００３１】
第３発明に係るエネルギー管理システムでは、運転状況に応じた、条件毎のエネルギー抑制可能量を提示することができる。
【００３２】
第４発明に係るエネルギー管理システムでは、運転状況に応じた、条件毎のエネルギー抑制可能量を提示することができる。
【００３３】
第５発明に係るエネルギー管理システムでは、設備機器の運転状況を考慮して、適切なエネルギー抑制可能量を提示することができる。
【００３４】
第６発明に係るエネルギー管理システムでは、空調状態に極端な影響を与えずに、適切なエネルギー抑制を行うことができる。
【００３５】
第７発明に係るエネルギー管理システムでは、エネルギー抑制が頻繁に実施されることを制限することができる。
【００３６】
第８発明に係るエネルギー管理システムでは、ユーザにとっての快適性を、一層向上させることができる。
【図面の簡単な説明】
【００３７】
【図１】第１実施形態に係るエネルギー管理システムの全体構成を示す図である。
【図２】第１実施形態に係る上位コントローラの概略構成を示す図である。
【図３】第１実施形態に係る下位コントローラの概略構成を示す図である。
【図４】第１実施形態で用いた条件の例を示す図である。
【図５】第１実施形態で下位コントローラから上位コントローラに提示されるエネルギー抑制可能量の例を示す図である。
【図６Ａ】第１〜第４実施形態に係る下位コントローラにおける処理の流れを示す図である。
【図６Ｂ】第１実施形態の変形例（Ｃ）に係る下位コントローラの概略構成を示す図である。
【図７】第２実施形態に係るエネルギー管理システムの全体構成を示す図である。
【図８】第２実施形態に係る下位コントローラの概略構成を示す図である。
【図９】第２実施形態で用いた条件の例を示す図である。
【図１０】第２実施形態に係る機器情報記憶領域に記憶されている情報の例を示す図である。
【図１１】空調状態の例を示す図である。
【図１２】第２実施形態で下位コントローラから上位コントローラに提示されるエネルギー抑制可能量の例を示す図である。
【図１３】第３実施形態に係るエネルギー管理システムの全体構成を示す図である。
【図１４】第３実施形態に係る下位コントローラの概略構成を示す図である。
【図１５】運用スケジュールの例を示す図である。
【図１６】低下許容能力で制御した場合の推定消費量と、エネルギー抑制可能量との例を示す図である。
【図１７】第３実施形態で下位コントローラから上位コントローラに提示されるエネルギー抑制可能量の例を示す図である。
【図１８】第４実施形態に係るエネルギー管理システムの全体構成を示す図である。
【図１９】第４実施形態に係る下位コントローラの概略構成を示す図である。
【図２０】第４実施形態に係る機器情報記憶領域に記憶されている情報の例を示す図である。
【図２１】第４実施形態で下位コントローラから上位コントローラに提示されるエネルギー抑制可能量の例を示す図である。
【発明を実施するための形態】
【００３８】
＜第１実施形態＞
以下、図面を参照して、第１実施形態に係るエネルギー管理システム１００について説明する。
【００３９】
（１）エネルギー管理システム
図１に、本実施形態に係るエネルギー管理システム１００を示す。エネルギー管理システムでは、電力会社１から物件Ａ，Ｂに提供されるエネルギーが管理される。図１に示すように、電力会社１は、上位コントローラ（エネルギー管理装置に相当）１０を有し、物件Ａ，Ｂは、下位コントローラ（制御装置に相当）３０，３０を有する。物件Ａ，Ｂは、オフィスビル、テナントビル、および工場等の複数の設備機器を設置する建物である。物件Ａ，Ｂは、さらに、複数の設備機器としての空調機４０，４０，・・・と、空調機４０，４０，・・・に電力を供給する電源６と、電源６から空調機４０，４０，・・・に供給されるエネルギー量を計測する電力メーター７とを有する。各物件Ａ，Ｂにおいて、空調機４０，４０，・・・と、下位コントローラ３０とは、専用の制御線８０ｂを介して接続されている。また、上位コントローラ１０と、下位コントローラ３０，３０とは、インターネット８０ａを介して接続されている。
【００４０】
電力会社１は、エネルギーの需要が高まる時期／時間のエネルギー消費量を抑えるために、物件Ａ，Ｂに対して、所定時間間隔（本実施形態では、１５分間隔）で、エネルギー抑制可能量提示要求を送信する。エネルギー抑制可能量提示要求は、物件Ａ，Ｂに対してエネルギー抑制を強制するものではなく、各物件Ａ，Ｂにおいてエネルギー抑制ができる場合に、エネルギー抑制可能量の提示を要求するものである。本実施形態に係るエネルギー管理システム１００では、後述する下位コントローラ３０，３０が、電力会社１に設置された上位コントローラ１０に対して、各物件Ａ，Ｂにおいて抑制可能なエネルギー量（エネルギー抑制可能量）を複数提示する。なお、物件Ａ，Ｂは、電力会社１からのエネルギー抑制可能量提示要求に対して、エネルギー抑制が可能な場合は、複数のエネルギー抑制可能量を提示し、エネルギー抑制が不可能な場合には、エネルギーが抑制できない旨の回答（零回答もしくはエネルギー抑制可能量を０ｋＷとする回答）を提示する。
【００４１】
以下、エネルギー管理システム１００に含まれる、上位コントローラ１０および下位コントローラ３０，３０について説明する。なお、図１では、電力会社１がエネルギーを管理する物件として、物件Ａ，Ｂの二つの物件が記載されているが、物件の数は二つに限られるものではない。
【００４２】
（２）上位コントローラ
上位コントローラ１０は、上述したように、電力会社１に設置され、インターネット８０ａを介して、物件Ａに設置されている下位コントローラ３０および物件Ｂに設置されている下位コントローラ３０に接続されている。
【００４３】
上位コントローラ１０は、図２に示すように、主として、通信部１１、表示部１２、入力部１３、記憶部１４、および制御部１５を備える。
【００４４】
〔通信部〕
通信部１１は、上位コントローラ１０をインターネット８０ａに接続可能にするネットワークインターフェースである。
【００４５】
〔表示部〕
表示部１２は、主としてディスプレイから構成されている。表示部１２には、後述する記憶部１４に記憶される各種情報を示す管理画面が表示される。
【００４６】
〔入力部〕
入力部１３は、主として操作ボタン、キーボード、およびマウス等から構成されている。
【００４７】
〔記憶部〕
記憶部１４は、主として、ハードディスクから構成されている。記憶部１４は、後述する制御部１５が読み出して実行可能なプログラムが記憶されている。また、記憶部１４は、主として、管理物件記憶領域１４ａ、物件情報記憶領域１４ｂ、および提示内容記憶領域１４ｃを有する。
【００４８】
ａ）管理物件記憶領域
管理物件記憶領域１４ａには、電力会社１の管理対象の物件Ａ，Ｂが記憶されている。具体的には、物件Ａ，Ｂの名称、物件Ａ，Ｂの規模、および必要最小エネルギー等に関する情報が記憶されている。
【００４９】
ｂ）物件情報記憶領域
物件情報記憶領域１４ｂには、後述する下位コントローラ３０，３０から送られたエネルギー消費量に関する情報が記憶されている。エネルギー消費量に関する情報は、各物件Ａ，Ｂで所定期間に消費されたエネルギー量（エネルギー消費量）に関する情報である。
【００５０】
ｃ）提示内容記憶領域
提示内容記憶領域１４ｃには、下位コントローラ３０，３０によって提示された複数のエネルギー抑制可能量に関する情報が記憶されている。
【００５１】
〔制御部〕
制御部１５は、主として、ＣＰＵ、ＲＯＭおよびＲＡＭから構成されている。制御部１５は、記憶部１４に記憶されているプログラムを読み出して実行する。また、制御部１５は、主として、提示要求送信部１５ａおよび選択指令送信部１５ｂを有する。
【００５２】
ａ）提示要求送信部
提示要求送信部１５ａは、所定時間間隔（本実施形態では、１５分間隔）で、物件Ａ，Ｂに対してエネルギー抑制可能量提示要求を送信する。
【００５３】
ｂ）選択指令送信部
選択指令送信部１５ｂは、各物件Ａ，Ｂから送られたエネルギー抑制可能量に関する複数の回答に基づいて、各物件Ａ，Ｂに要求するエネルギー抑制量をそれぞれ決定し、決定した内容に応じた指令（選択指令）を各物件Ａ，Ｂに送信する。
【００５４】
（３）下位コントローラ
下位コントローラ３０，３０は、上述したように、各物件Ａ，Ｂに一台設置されている。また、下位コントローラ３０，３０は、設置された物件に設置された空調機４０，４０，・・・を制御する。以下、物件Ａに設置された下位コントローラ３０について説明するが、物件Ｂに設置された下位コントローラ３０についても同様の構成であるものとする。
【００５５】
下位コントローラ３０は、図３に示すように、主として、通信部３１、表示部３２、入力部３３、タイマー部３４、記憶部３５、および制御部３６から構成されている。
【００５６】
〔通信部〕
通信部３１は、コントローラ３０をインターネット８０ａおよび専用の制御線８０ｂに接続可能にするインターフェースである。
【００５７】
〔表示部〕
表示部３２は、主として、ディスプレイから構成されている。表示部３２には、空調機４０，４０，・・・の運転状態（ＯＮ／ＯＦＦ、運転モード（冷房モード／暖房モード）、風向き、風量、および吸込み温度等）および設定温度を示す画面が表示される。
【００５８】
〔入力部〕
入力部３３は、主として、操作ボタンおよび上記ディスプレイを覆うタッチパネルから構成されている。
【００５９】
〔タイマー部〕
タイマー部３４は、後述する制御指令送信部３６ｋによって、空調機４０，４０，・・・に対する制御指令が送信された後の時間を計測する。
【００６０】
〔記憶部〕
記憶部３５は、主として、ハードディスクから構成されている。記憶部３５には、後述する制御部３６が読み出して実行可能なプログラムが記憶されている。また、記憶部３５は、主として、運転状況記憶領域３５ａ、条件記憶領域３５ｂ、制御情報記憶領域３５ｃ、およびメーター値記憶領域３５ｄを有する。
【００６１】
ａ）運転状況記憶領域
運転状況記憶領域３５ａには、後述する運転状況把握部３６ａによって把握された空調機４０，４０，・・・の運転状況が記憶されている。運転状況には、空調機４０，４０，・・・の運転／停止、設定温度、吸込み温度、稼働時間、稼働率、および稼動時の運転能力（％）等が含まれる。ここで運転能力とは、空調機４０，４０，・・・の定格能力に対して、何％の能力で動作させるかを意味する。
【００６２】
ｂ）条件記憶領域
条件記憶領域３５ｂには、上位コントローラ１０に対して複数のエネルギー抑制可能量を提示するための条件が記憶されている。複数のエネルギー抑制可能量を提示するための条件とは、エネルギー抑制制御を実行する時間（エネルギー抑制制御の継続時間）と、エネルギー抑制制御時の運転能力（下限能力）（％）との前提である（第１の条件）。エネルギー抑制制御とは、上位コントローラ１０に提示するエネルギー抑制可能量を実現するための制御である。条件記憶領域３５ｂでは、エネルギー抑制制御の継続時間（分）と、当該継続時間の間エネルギー抑制制御を実施する場合に許容しうる下限能力（％）とが関連付けて記憶されている。図４は、条件記憶領域３５ｂに記憶された条件（条件Ａ〜条件Ｃ）の例を示す。具体的に、条件Ａでは、継続時間が６０分のときの下限能力を８０％とする。条件Ｂでは、継続時間が３０分のとき下限能力を６０％とする。条件Ｃでは、継続時間が１５分のとき下限能力を４０％とする。
【００６３】
ｃ）制御情報記憶領域
制御情報記憶領域３５ｃには、後述する制御指令送信部３６ｋによって空調機４０，４０，・・・に送信された制御指令の内容である。詳細には、後述する抑制可能量提示部３６ｇによって提示された複数のエネルギー抑制可能量のうち、上位コントローラ１０によって選択されたエネルギー抑制可能量に関する情報が記憶されている。制御指令の内容には、実行させる運転能力、エネルギー抑制制御開始時刻、およびエネルギー抑制制御終了時刻等が含まれる。
【００６４】
ｄ）メーター値記憶領域
メーター値記憶領域３５ｄには、後述するメーター値取得部によって取得される値が記憶される。
【００６５】
〔制御部〕
制御部３６は、主として、ＣＰＵ、ＲＯＭおよびＲＡＭから構成されており、上述の記憶部３５に記憶されているプログラムを読み出して実行する。
【００６６】
制御部３６は、図３に示すように、主として、運転状況把握部３６ａ、提示要求受付部３６ｂ、メーター値取得部３６ｃ、エネルギー消費量算出部３６ｄ、推定量算出部３６ｅ、抑制可能量判定部３６ｆ、抑制可能量提示部３６ｇ、提示制御部３６ｈ、選択指令受付部３６ｉ、制御指令生成部３６ｊ、および制御指令送信部３６ｋとして機能する。
【００６７】
ａ）運転状況把握部
運転状況把握部３６ａは、所定時間間隔（本実施形態では、５分間隔）で、空調機４０，４０，・・・の運転状況を把握する。運転状況には、上述したように、空調機の運転／停止、設定温度、吸込み温度、稼働時間、稼働率、および稼動時の運転能力（％）等が含まれる。運転状況把握部３６ａによって把握された、空調機４０，４０，・・・の運転状況は、上述の運転状況記憶領域３５ａに記憶される。
【００６８】
ｂ）提示要求受付部
提示要求受付部３６ｂは、上位コントローラ１０から送られるエネルギー抑制可能量提示要求を受け付ける。
【００６９】
ｃ）メーター値取得部
メーター値取得部３６ｃは、電力メーター７によって計測された値（エネルギー量に関するデータ）が取得される。メーター値取得部３６ｃによって取得された値は、上述のメーター値記憶領域３５ｄに記憶される。
【００７０】
ｄ）エネルギー消費量算出部
エネルギー消費量算出部３６ｄは、上述の運転状況把握部３６ａによって把握された現在の運転状況と、メーター値記憶領域に記憶されている値とに基づいて、現在の制御（第１制御）を所定時間継続した場合の空調機４０，４０，・・・のエネルギー消費量を算出する。ここで、所定時間とは、上述の条件記憶領域３５ｂに記憶された継続時間（例えば、６０分、３０分、１５分）を指す。すなわち、現在の設定を変更せずに、空調機４０，４０，・・・の制御を６０分間行った場合のエネルギー消費量、現在の設定を変更せずに空調機４０，４０，・・・の制御を３０分間行った場合のエネルギー消費量、および現在の設定を変更せずに空調機４０，４０，・・・の制御を１５分間行った場合のエネルギー消費量がそれぞれ算出される。
【００７１】
ｅ）推定量算出部
推定量算出部３６ｅは、各条件に応じてエネルギー抑制制御（第２制御）を行った場合に消費されるエネルギー量（推定消費量）を算出する。具体的には、条件記憶領域３５ｂに記憶された継続時間の間、所定の下限能力で空調機４０，４０，・・・を制御した場合に消費されるエネルギー量を算出する（図４参照）。より具体的に、推定量算出部３６ｅは、６０分間、下限能力８０％で第２制御を継続させた場合に消費されるエネルギー量（推定消費量）を算出する。また、推定量算出部３６ｅは、３０分間、下限能力６０％で第２制御を継続させた場合に消費されるエネルギー量（推定消費量）を算出する。さらに、推定量算出部３６ｅは、１５分間、下限能力４０％で第２制御を継続させた場合に消費されるエネルギー量（推定消費量）を算出する。
【００７２】
ｆ）抑制可能量判定部
抑制可能量判定部３６ｆは、エネルギー消費量算出部３６ｄによって算出されたエネルギー消費量と、推定量算出部３６ｅによって算出された推定消費量とに基づいて、エネルギー抑制可能量を判定する。具体的には、現在の設定によるエネルギー消費量と、現在の設定を条件に応じて変更した場合のエネルギー消費量（推定消費量）との差を、エネルギー抑制可能量として判定する。より具体的には、式：抑制可能量の総計（ｋＷ）＝Σ（エネルギー消費量−推定消費量）により求められる。推定消費量は、定格電力（ｋＷ）と下限能力（％）との積により求められる。
【００７３】
抑制可能量判定部３６ｆは、条件記憶領域３５ｂに記憶されている条件別のエネルギー抑制可能量をそれぞれ判定する。すなわち、本実施形態では、条件Ａ〜条件Ｃのそれぞれに対応した三種類のエネルギー抑制可能量が判定される。具体的には、図５に示すように、エネルギー抑制制御の継続時間と、当該継続時間で実現しうる抑制可能量（ｋＷ）とを判定する。
【００７４】
ｇ）抑制可能量提示部
抑制可能量提示部３６ｇは、抑制可能量判定部３６ｆによって判定された、条件別の複数のエネルギー抑制可能量を上位コントローラ１０に提示する。抑制可能量提示部３６ｇによって提示された複数のエネルギー抑制可能量は、通信部３１を介して、上位コントローラ１０に送られる。
【００７５】
なお、抑制可能量提示部３６ｇは、後述する提示制御部３６ｈの制御に応じて、エネルギー抑制可能量の提示を行う。詳細には、抑制可能量提示部３６ｇは、提示制御部３６ｈによってエネルギー抑制可能量の提示が許容された場合、上位コントローラ１０に対してエネルギー抑制可能量を提示する。また、抑制可能量提示部３６ｇは、提示制御部３６ｈによって、エネルギー抑制可能量の提示が制限された場合、上位コントローラ１０に対して、零回答もしくはエネルギー抑制可能量を０ｋＷとする回答を提示する。
【００７６】
ｈ）提示制御部
提示制御部３６ｈは、上述の抑制可能量提示部３６ｇによるエネルギー抑制可能量の提示を制御する。詳細には、提示制御部３６ｈは、第１処理部３６ｈａと第２処理部３６ｈｂとを有する。  第１処理部３６ｈａは、抑制可能量提示部３６ｇによるエネルギー抑制可能量の提示を制限する。具体的には、第１処理部３６ｈａは、後述する制御指令生成部３６ｊによって、エネルギー抑制制御に係る制御指令が生成された後の所定時間（第１の時間に相当）、抑制可能量提示部３６ｇによるエネルギー抑制可能量の提示を制限する。ここで、エネルギー抑制制御に係る制御指令が生成された後の所定時間とは、エネルギー抑制制御を継続させる時間（継続時間）である。第１処理部３６ｈａがエネルギー抑制可能量の提示を制限することで、上述の抑制可能量提示部３６ｇは、上位コントローラ１０に対して、零回答もしくはエネルギー抑制可能量を０ｋＷとする回答を提示する。一方、第２処理部３６ｈｂは、抑制可能量提示部３６ｇによるエネルギー抑制可能量の提示を許容する。具体的には、エネルギー抑制制御を実行していない時間（第２の時間に相当）は、第２処理部３６ｈｂは、抑制可能量提示部３６ｇによるエネルギー抑制可能量の提示を許容する。
【００７７】
ｉ）選択指令受付部
選択指令受付部３６ｉは、上位コントローラ１０から送られる選択指令を受け付ける。選択指令とは、抑制可能量提示部３６ｇによって提示された複数のエネルギー抑制可能量のうち、上位コントローラ１０によって選択されたエネルギー抑制可能量を示す信号である。
【００７８】
ｊ）制御指令生成部
制御指令生成部３６ｊは、選択指令受付部３６ｉによって受け付けられた選択指令に基づいて、エネルギー抑制可能量を実現する制御指令を生成する。
【００７９】
ｋ）制御指令送信部
制御指令送信部３６ｋは、制御指令生成部３６ｊによって生成された制御指令を、空調機４０，４０，・・・に送信する。これにより、空調機４０，４０，・・・は、当該制御指令に基づいた制御を実行する。
【００８０】
（４）処理の流れ
次に、図６Ａを参照して、下位コントローラ３０における処理の流れを説明する。
【００８１】
ステップＳ１０１では、提示要求受付部３６ｂがエネルギー抑制可能量提示要求を受け付けたかどうかが判定される。ステップＳ１０１において、エネルギー抑制可能量提示要求が受け付けられた場合には、ステップＳ１０２に進み、エネルギー抑制可能量提示要求が受け付けられない場合には、受け付けるまで待機する。
【００８２】
次にステップＳ１０２において、タイマー部３４により計測された時間が、所定時間を経過したか否かが判定される。ここで所定時間とは、上述したように、エネルギー抑制制御の継続時間である。ステップＳ１０２において、タイマー部により計測された時間が、所定時間を経過している場合には、ステップＳ１０３に進み、所定時間を経過していない場合には、ステップＳ１０９に進む。
【００８３】
ステップＳ１０３では、抑制可能量判定部３６ｆによって条件別のエネルギー抑制可能量が判定され、ステップＳ１０４に進む。ステップＳ１０４では、抑制可能量提示部３６ｇによって、複数のエネルギー抑制可能量が上位コントローラに提示される。
【００８４】
その後、ステップＳ１０５に進み、上位コントローラ１０からの選択指令を受け付けたか否かが判定される。ここで、選択指令とは、上述したように、抑制可能量提示部３６ｇによって提示された複数のエネルギー抑制可能量のうち、上位コントローラ１０が選択した一のエネルギー抑制可能量を示す信号である。ステップＳ１０５において、選択指令が受け付けられた場合には、ステップＳ１０６に進む。ステップＳ１０５において、選択指令が受け付けられなかった場合には、選択指令を受け付けるまで待機する。
【００８５】
次に、ステップＳ１０６において、選択指令に基づいた制御指令が生成され、その後、ステップＳ１０７に進み、当該制御指令が空調機４０，４０，・・・に送信される。さらに、ステップＳ１０８において、タイマー部３４による計測が開始され、ステップＳ１０１に戻る。
【００８６】
一方、ステップＳ１０２において、タイマー部３４により計測される時間が、所定時間を経過していなかった場合には、ステップＳ１０９において、抑制可能量提示部３６ｇによるエネルギー抑制可能量の提示が制限される。すなわち、抑制可能量提示部３６ｇは、上位コントローラ１０に対して、零回答もしくはエネルギー抑制可能量を０ｋＷとする回答を行う。その後、ステップＳ１０１に戻る。
【００８７】
＜特徴＞
（１）
本実施形態に係るエネルギー管理システム１００では、電力会社１から物件Ａ，Ｂに供給されるエネルギーが管理されている。また、電力会社１は、季節や時間帯に応じて増加するエネルギー量を抑制するために、定期的に多数の物件に対してエネルギー抑制可能量の提示を求めている。従来、各物件から電力会社に対してエネルギー抑制可能量を提示した場合であっても、全体のエネルギー抑制量としては妥当でない場合があった。このとき、電力会社から各物件に対して、全体として妥当なエネルギー抑制量を実現させるような制御指令が送信されると、各物件において快適性が十分に確保されない。一方、各物件の要望を優先させると、電力会社では十分にエネルギー抑制量を確保することができない。
【００８８】
本実施形態に係るエネルギー管理システム１００では、各物件Ａ，Ｂに設置された下位コントローラ３０，３０によって、条件別の複数のエネルギー抑制可能量が提示される。ここで用いる条件は、物件において快適性を十分に確保できるように、継続時間と、下限能力とを組み合わせたものである。当該条件は、具体的には、下限能力が高い場合（すなわち、エネルギー抑制の程度が小さい場合）には、エネルギー抑制制御を実行する時間を長くし、下限能力が低い場合（すなわち、エネルギー抑制の程度が大きい場合）には、エネルギー抑制制御を短くするように組み合わせてある。下位コントローラ３０，３０は、当該条件別のエネルギー抑制可能量を上位コントローラ１０に提示するため、上位コントローラ１０でも全体のエネルギー抑制量として妥当なものを各物件について選択することができる。これにより、エネルギー消費の抑制および各物件における快適性の確保の双方を考慮することができる。
【００８９】
（２）
本実施形態では、現在の運転状況を継続した場合のエネルギー消費量と、現在の運転状況を条件に応じて変更した場合の推定消費量とに基づいて、複数のエネルギー抑制可能量を提示する。したがって、現在の運転状況に照らして無理のない範囲で、エネルギー抑制を行うことができる。
【００９０】
（３）
また、本実施形態に係るエネルギー管理システム１００では、抑制可能量提示部３６ｇによって上位コントローラ１０に複数のエネルギー抑制可能量が提示されると、上位コントローラ１０が複数のエネルギー抑制可能量から一のエネルギー抑制可能量を選択する。その後、選択指令受付部３６ｉが上位コントローラ１０からの選択指令を受け付けると、当該選択指令で選択されたエネルギー抑制可能量を実現させる制御指令が空調機４０，４０，・・・に向けて送信される。また、空調機４０，４０，・・・は、下位コントローラ３０，３０により生成された制御指令に基づいて、上位コントローラ１０によって選択されたエネルギー抑制可能量を実現するエネルギー抑制制御を実行する。
【００９１】
ここで、複数のエネルギー抑制可能量は、継続時間と下限能力との組み合わせからなる条件に基づいて得られる値である。すなわち、空調機４０，４０，・・・は、選択された条件（継続時間および下限能力）に基づいて制御されることになる。一方、上位コントローラ１０からは、定期的にエネルギー抑制可能量提示要求が送られてくる。当該エネルギー抑制可能量提示要求が送られるたびに、抑制可能量提示部３６ｇによるエネルギー抑制可能量の提示が行われることとすると、空調機４０，４０，・・・の設定が頻繁に変更されることにより、快適性確保の観点から好ましくない。しかし、本実施形態では、抑制可能量提示部３６ｇによるエネルギー抑制可能量の提示が、提示制御部３６ｈによって制限される。したがって、下位コントローラ３０，３０が、エネルギー抑制可能量を実現するための制御（エネルギー抑制制御）を空調機４０，４０，・・・に対して行っている間は、エネルギー抑制可能量提示要求に対して零回答もしくはエネルギー抑制可能量を０ｋＷとする回答を行い、さらなる変更を行わないように設計されている。これにより、物件における快適性を確保することができる。
【００９２】
＜変形例＞
（Ａ）
本実施形態に係るエネルギー管理システム１００は、電力会社１に設けられた上位コントローラ１０によって、物件Ａ，Ｂのエネルギー量を管理する場合を例に挙げて説明したが、エネルギー管理システム１００は、親会社に設置された上位コントローラ１０によって、子会社のエネルギー量を管理する場合に用いてもよい。
【００９３】
（Ｂ）
本実施形態で説明したフローでは（図６Ａ参照）、タイマー部３４による時間の計測が、ステップＳ１０８で行われたが、タイマー部３４による時間の計測は、その他のタイミング、例えば、ステップＳ１０５において選択指令が受け付けられたと判断された後、またはステップＳ１０６において、制御指令が生成された後のタイミングに開始されてもよい。すなわち、下位コントローラ３０，３０が、上位コントローラ１０から送られる選択指令に応じてエネルギー抑制制御を実行している間は、新たなエネルギー抑制可能量の提示をする必要がないよう、または新たな選択指令を受け付けないように制御されるように設計されていればよい。これにより、下位コントローラ３０，３０による空調機４０，４０，・・・の制御を安定させることができる。
【００９４】
（Ｃ）
本実施形態に係る下位コントローラ３０，３０は、図６Ｂに示すように、記憶部３５に、快適性判定結果記憶領域３５ｅをさらに有していてもよい。快適性判定結果記憶領域３５ｅは、ユーザにより入力された快適性の判定結果を記憶する。具体的には、エネルギー抑制制御が実行されることにより、ユーザが不快感を覚えた際に、当該不快感を覚えた旨の判定結果を記憶させる。
【００９５】
また、条件記憶領域３５ｂは、快適性判定結果記憶領域３５ｅに記憶された判定結果に基づいて、条件を更新する。具体的には、下限能力に対応するエネルギー抑制制御の継続時間を変動したり、継続時間に対応する下限能力を変動させたりすることにより、条件を更新する。より具体的には、下限能力に対応するエネルギー抑制制御の継続時間を短縮させることにより、または、継続時間に対応する下限能力を増加させることにより、条件を更新する。
【００９６】
これにより、下位コントローラ３０，３０は、ユーザがエネルギー抑制制御により不快を感じるか否かに基づいて、最適な条件を学習していく。
【００９７】
（Ｄ）
本実施形態で用いた条件の下限能力は、空調機毎に設定してもよい。すなわち、空調機の種類や、空調機の設置場所に応じて、異なる下限能力を設定してもよい。これにより、より適切なエネルギー管理を行うことができる。
【００９８】
（Ｅ）
本実施形態では、条件記憶領域３５ｂに、エネルギー抑制制御の継続時間とエネルギー抑制制御の下限能力との前提を記憶させ、抑制可能量判定部３６ｆは、エネルギー抑制制御を実行した場合の推定消費量と、現在の制御を継続した場合のエネルギー消費量との差を用いてエネルギー抑制可能量を判定したが、条件記憶領域３５ｂに、エネルギー抑制制御の継続時間と所定時間における各設備機器の個々のエネルギー抑制可能量とを記憶させておき、抑制可能量判定部３６ｆは、各設備機器の個々のエネルギー抑制可能量に基づいて、条件別の、物件全体のエネルギー抑制可能量（個々のエネルギー抑制可能量の合計値）を判定してもよい。
【００９９】
＜第２実施形態＞
次に、第２実施形態に係るエネルギー管理システム２００について説明する（図７参照）。第２実施形態に係るエネルギー管理システム２００は、下位コントローラ１３０，１３０の構成を除き、第１実施形態に係るエネルギー管理システム１００と同様である。したがって、ここでは、下位コントローラ１３０の構成について説明する。
【０１００】
下位コントローラ１３０は、図８に示すように、主として、通信部２３１、表示部２３２、入力部２３３、タイマー部２３４、記憶部２３５、および制御部２３６から構成されている。ここで、通信部２３１、表示部２３２、入力部２３３、およびタイマー部２３４は、第１実施形態に係る通信部３１、表示部３２、入力部３３、およびタイマー部３４と同様の構成である。したがって、以下、記憶部２３５および制御部２３６について説明する。
【０１０１】
〔記憶部〕
記憶部２３５は、主としてハードディスクから構成されている。記憶部２３５には、後述する制御部２３６が読み出して実行可能なプログラムが記憶されている。また、記憶部２３５には、吸込み温度と設定温度との乖離の程度（安定度）に応じた安定予測情報が記憶されている。安定予測情報とは、空調状態を安定させるために必要な時間に関する予測情報である。具体的に、空調状態を安定させるために必要な時間とは、吸込み温度が設定温度に到達していない場合に、吸込み温度を設定温度に到達させるまでに必要とする時間である。
【０１０２】
また、記憶部２３５は、主として、運転状況記憶領域２３５ａ、条件記憶領域２３５ｂ、制御情報記憶領域２３５ｃ、メーター値記憶領域２３５ｄ、および機器情報記憶領域２３５ｅを有する。なお、制御情報記憶領域２３５ｃおよびメーター値記憶領域２３５ｄについては、第１実施形態に係る制御情報記憶領域３５ｃおよびメーター値記憶領域３５ｄと同様である。したがって、以下、運転状況記憶領域２３５ａ、条件記憶領域２３５ｂ、および機器情報記憶領域２３５ｅについて説明する。
【０１０３】
ａ）運転状況記憶領域
運転状況記憶領域２３５ａには、後述する運転状況把握部２３６ａによって取得された空調機４０，４０，・・・の運転状況が記憶されている。運転状況には、空調機４０，４０，・・・の運転／停止、設定温度、吸込み温度、稼働時間、稼働率、および稼動時の運転能力（％）等が含まれる。
【０１０４】
また、運転状況記憶領域２３５ａには、後述する運転状況把握部２３６ａによって把握される空調状態（安定度）が記憶される。安定度は、空調機の吸込み温度が設定温度に達しているかどうかによって決定される。具体的に、安定度１００％は、吸込み温度が設定温度に達している状態である。
【０１０５】
ｂ）条件記憶領域
条件記憶領域２３５ｂには、抑制可能量提示部２３６ｇによって複数のエネルギー抑制可能量を提示するための条件が記憶されている。複数のエネルギー抑制可能量を提示するための条件とは、空調状態（安定度）とエネルギー抑制制御の開始時刻（応答時刻）との前提である（第２の条件）。具体的には、所定の安定度と、当該所定の安定度に対してエネルギー抑制制御が可能であるタイミングとが関連付けて記憶されている。所定の安定度に関連付けられる、エネルギー抑制制御が可能なタイミングは、上述の安定予測情報（すなわち、吸込み温度が設定温度に到達するまでに必要な時間）に応じて決定される。図９に、条件記憶領域２３５ｂに記憶された条件（条件Ａ〜条件Ｃ）の例を示す。具体的に、条件Ａでは、安定度が１００％のとき、５分後にエネルギー抑制制御を開始することを前提とする。条件Ｂでは、安定度が７０％のとき、１５分後にエネルギー抑制制御を開始することを前提とする。条件Ｃでは、安定度が５０％のとき、３０分後にエネルギー抑制制御を開始することを前提とする。
【０１０６】
ｃ）機器情報記憶領域
機器情報記憶領域２３５ｅには、所定時間（例えば１分間）における各空調機４０，４０，・・・のエネルギー消費量を予め記憶させておく。例えば、図１０に示すように、空調機の種類に応じたエネルギー消費量を予め記憶させておく。ここでは、空調機４０，４０，・・・に空調機１，２，３が含まれるものとし、空調機１，２，３のエネルギー消費量を、それぞれ２５ｋＷ、５０ｋＷ、５０ｋＷとしている。
【０１０７】
〔制御部〕
制御部２３６は、主として、ＣＰＵ、ＲＯＭおよびＲＡＭから構成されており、上述の記憶部２３５に記憶されているプログラムを読み出して実行する。
【０１０８】
制御部２３６は、図８に示すように、主として、運転状況把握部２３６ａ、提示要求受付部２３６ｂ、メーター値取得部２３６ｃ、エネルギー消費量算出部２３６ｄ、推定量算出部２３６ｅ、抑制可能量判定部２３６ｆ、抑制可能量提示部２３６ｇ、提示制御部２３６ｈ、選択指令受付部２３６ｉ、制御指令生成部２３６ｊ、および制御指令送信部２３６ｋとして機能する。なお、提示要求受付部２３６ｂ、メーター値取得部２３６ｃ、抑制可能量提示部２３６ｇ、提示制御部２３６ｈ、選択指令受付部２３６ｉ、制御指令生成部２３６ｊ、および制御指令送信部２３６ｋは、第１実施形態に係る提示要求受付部３６ｂ、メーター値取得部３６ｃ、抑制可能量提示部３６ｇ、提示制御部３６ｈ、選択指令受付部３６ｉ、制御指令生成部３６ｊ、および制御指令送信部３６ｋと同様である。したがって、ここでは、運転状況把握部２３６ａ、エネルギー消費量算出部２３６ｄ、推定量算出部２３６ｅ、および抑制可能量判定部２３６ｆについて説明する。
【０１０９】
ａ）運転状況把握部
運転状況把握部２３６ａは、所定時間間隔（本実施形態では、５分間隔）で、空調機４０，４０，・・・の運転状況を把握する。運転状況とは、上述したように、空調機の運転／停止、稼働時間、稼働率、および稼動時の運転能力（％）等が含まれる。運転状況把握部２３６ａによって把握された、空調機４０，４０，・・・の運転状況は、上述の運転状況記憶領域２３５ａに記憶される。
【０１１０】
また、運転状況把握部２３６ａは、設定温度と吸込み温度とに基づいて、空調状態が安定している状態である第１状態と、空調状態が安定していない状態である第２状態とを把握する。第１状態は、空調状態が安定度１００％の状態である。さらに、運転状況把握部２３６ａは、設定温度と吸込み温度との乖離の程度に応じて、現在の安定度が何％かを把握する。
【０１１１】
図１１に、運転状況把握部２３６ａによって把握される第１状態および第２状態の例を示す。図１１では、物件に空調機が三台（空調機１〜３）ある場合を例に挙げている。縦軸は空調機１，２，３の吸込み温度を示し、横軸は安定度が１００％になるまでに必要な時間を示す。安定度が１００％になるまでに必要な時間は、運転状況把握部２３６ａによって把握された安定度と、記憶部２３５が記憶する安定予測情報とに基づいて算出される。符号ＩＴ１〜ＩＴ３で示す線は、空調機１，２，３の吸込み温度の予測推移を示す。ここでは、空調機１の吸込み温度を符号ＩＴ１、空調機２の吸込み温度を符号ＩＴ２、空調機３の吸込み温度を符号ＩＴ３で表すこととする。破線ＳＴは、空調機４０，４０，・・・の設定温度を示す。空調機１の吸込み温度ＩＴ１は、現在、設定温度ＳＴに達しているため、運転状況把握部３６ａは、空調状態が安定している状態（第１の状態）であると把握する。空調機２，３の吸込み温度ＩＴ２，ＩＴ３は、設定温度ＳＴに達していないため、運転状況把握部３６ａは、空調状態は安定していない状態（第２の状態）であると把握する。
【０１１２】
ｂ）エネルギー消費量算出部
エネルギー消費量算出部２３６ｄは、上述の運転状況把握部２３６ａによって把握された空調機の現在の運転状況と、メーター値記憶領域に記憶されているデータとに基づいて、現在の制御を継続した場合の所定時間における空調機４０，４０，・・・のエネルギー消費量を算出する。
【０１１３】
ｃ）推定量算出部
推定量算出部２３６ｅは、各条件に応じてエネルギー抑制制御（第２制御）を行った場合に消費されるエネルギー量（推定消費量）を算出する。具体的には、運転状況把握部２３６ａによって把握された空調機４０，４０，・・・の安定度と、当該安定度に関連付けられた開始時刻（応答時刻）と、各空調機４０，４０，・・・のエネルギー消費量とに基づいて、条件Ａ〜Ｃ別に、消費されるエネルギー量を算出する。
【０１１４】
例えば、上述した空調機１の安定度が１００％、空調機２の安定度が７０％、空調機３の安定度が５０％であると運転状況把握部２３６ａが把握した場合、空調機１〜３は、それぞれ、５分後、１５分後、３０分後にエネルギー抑制制御を開始することになる（図９参照）。推定量算出部２３６ｅは、空調機１〜３が、それぞれエネルギー抑制制御を実行した場合の推定消費量を算出する。
【０１１５】
ｄ）抑制可能量判定部
抑制可能量判定部２３６ｆは、エネルギー消費量算出部２３６ｄによって算出されたエネルギー消費量と、推定量算出部２３６ｅによって算出された推定消費量とに基づいて、エネルギー抑制可能量を判定する。具体的には、現在の設定によるエネルギー消費量と、現在の設定を条件に応じて変更した場合のエネルギー消費量（推定消費量）との差を、エネルギー抑制可能量として判定する。より具体的には、空調機１〜３の所定時間におけるエネルギー消費量は、それぞれ、２５ｋＷ，５０ｋＷ，５０ｋＷであるので（図１０参照）、５分後のエネルギー抑制可能量は２５ｋＷ（空調機１のエネルギー消費量）、１５分後のエネルギー抑制可能量は７５ｋＷ（空調機１および２のエネルギー消費量の合計）、３０分後のエネルギー抑制可能量は１２５ｋＷ（空調機１〜３のエネルギー消費量の合計）である（図１２参照）。
【０１１６】
＜特徴＞
本実施形態では、空調機４０，４０，・・・の安定度と、エネルギー抑制制御の開始時刻（応答時刻）とを前提とする第２の条件を採用することにより、例えば、稼動開始直後や設定温度変更直後等の空調状態が安定していない状態で、空間における空調状態が安定していない場合のエネルギー抑制の程度を制限する。これにより、空調状態に大きく影響を与えないエネルギー抑制を実行することができる。
【０１１７】
＜変形例＞
（Ａ）
本実施形態では、条件記憶領域２３５ｂに、第２の条件を記憶させたが、条件記憶領域２３５ｂには、第２の条件に加えて第１実施形態に係る第１の条件を記憶させてもよい。これにより、多様なエネルギー抑制可能量を提示することが可能になり、電力会社１および物件Ａ，Ｂの双方にとって、より好ましいエネルギー抑制可能量を選択することができる。
【０１１８】
（Ｂ）
また、本実施形態では、空調状態（安定度）に応じて、関連付ける応答時刻を変動させたが、空調状態が安定していない場合、すなわち、吸込み温度が設定温度に達していない場合には、エネルギー抑制可能量を判定する対象から外すように設計されてもよい。さらに、空調状態が安定しない空調機については、下限能力を既存の設定値よりも高い値に一時的に変更して、推定消費量を算出し、その後エネルギー抑制可能量を判定するように設計してもよい。これにより、エネルギー抑制制御により生じうる不快な環境を低減させることができる。
【０１１９】
（Ｃ）
さらに、本実施形態では、空調状態を吸込み温度が設定温度に到達したか否かに応じて把握したが、他の方法により空調状態を把握してもよい。例えば、空調機４０，４０，・・・に対する何らかの設定が変更されてから所定時間が経過した場合に、安定したものと判定してもよい。
【０１２０】
（Ｄ）
本実施形態では、機器情報記憶領域２３５ｅに所定時間における各空調機４０，４０，・・・のエネルギー消費量に関する情報を予め記憶させ、抑制可能量判定部２３６ｆは、エネルギー抑制制御を実行した場合の推定消費量と、現在の制御を継続した場合のエネルギー消費量との差を用いてエネルギー抑制可能量を判定したが、機器情報記憶領域２３５ｅに予め所定時間における各空調機４０，４０，・・・の個々のエネルギー抑制可能量を記憶させておき、抑制可能量判定部２３６ｆは、各空調機４０，４０，・・・の個々のエネルギー抑制可能量に基づいて、条件別の、物件全体のエネルギー抑制可能量（個々のエネルギー抑制可能量の合計値）を判定してもよい。
【０１２１】
（Ｅ）
本実施形態では、室温情報として吸込み温度を用い、運転状況把握部２３６ａが、設定温度と吸込み温度とに基づいて、空調状態を把握した。ここで、室温情報は、吸込み温度センサによって得られる吸込み温度に代えて、他の温度センサで得られた値を用いてもよい。例えば、空調機４０，４０，・・・に別付けされた温度センサや、空調機４０，４０，・・・のリモコンに設けられた温度センサ等を用いてもよい。また、温度センサで得られた値そのまま用いてもよいし、温度センサで得られた値の補正値を用いてもよい。
【０１２２】
＜第３実施形態＞
次に、第３実施形態に係るエネルギー管理システム３００について説明する（図１３参照）。第３実施形態に係るエネルギー管理システム３００もまた、下位コントローラ３３０，３３０の構成を除き、第１実施形態に係るエネルギー管理システム１００と同様である。したがって、ここでも、下位コントローラ３３０の構成について説明する。
【０１２３】
下位コントローラ３３０は、図１４に示すように、主として、通信部３３１、表示部３３２、入力部３３３、タイマー部３３４、記憶部３３５、および制御部３３６から構成されている。ここで、通信部３３１、表示部３３２、入力部３３３、およびタイマー部３３４は、第１実施形態に係る通信部３１、表示部３２、入力部３３、およびタイマー部３４と同様の構成である。したがって、以下、記憶部３３５および制御部３３６について説明する。
【０１２４】
〔記憶部〕
記憶部３３５は、主としてハードディスクから構成されている。記憶部３３５には、後述する制御部３３６が読み出して実行可能なプログラムが記憶されている。また、記憶部３３５は、主として、運転状況記憶領域３３５ａ、条件記憶領域３３５ｂ、制御情報記憶領域３３５ｃ、メーター値記憶領域３３５ｄ、および運用スケジュール記憶領域３３５ｅを有する。なお、運転状況記憶領域３３５ａ、制御情報記憶領域３３５ｃおよびメーター値記憶領域３３５ｄについては、第１実施形態に係る運用状況記憶領域３５ａ、制御情報記憶領域３５ｃおよびメーター値記憶領域３５ｄと同様である。したがって、以下、条件記憶領域３３５ｂ、および運用スケジュール記憶領域３３５ｅについて説明する。
【０１２５】
ａ）条件記憶領域
条件記憶領域３３５ｂには、後述の抑制可能量提示部３３６ｇによって複数のエネルギー抑制可能量を提示するための条件が記憶されている。複数のエネルギー抑制可能量を提示するための条件とは、エネルギー抑制の開始時刻（応答時刻）に関する前提である（第２の条件）。これにより、条件記憶領域３３５ｂに記憶されている応答時刻別に、エネルギー抑制可能量が変動する。
【０１２６】
ｂ）運用スケジュール記憶領域
運用スケジュール記憶領域３３５ｅには、各物件Ａ，Ｂに対して設定された空調機４０，４０，・・・の運用スケジュールが記憶されている。運用スケジュールとは、図１５に記載されるように、複数の時間帯と、当該時間帯に対応する空調機４０，４０，・・・の能力とを関連付けて記憶させたものである。空調機４０，４０，・・・の能力は、定格能力に対して、何％の空調能力で動作させるかを示す。本実施形態に係る空調機４０，４０，・・・は、基本的に、当該運用スケジュールに従って制御される。
【０１２７】
〔制御部〕
制御部３３６は、主として、ＣＰＵ、ＲＯＭおよびＲＡＭから構成されており、上述の記憶部３３５に記憶されているプログラムを読み出して実行する。
【０１２８】
制御部３３６は、図１４に示すように、主として、運転状況把握部３３６ａ、提示要求受付部３３６ｂ、メーター値取得部３３６ｃ、エネルギー消費量算出部３３６ｄ、推定量算出部３３６ｅ、抑制可能量判定部３３６ｆ、抑制可能量提示部３３６ｇ、提示制御部３３６ｈ、選択指令受付部３３６ｉ、制御指令生成部３３６ｊ、および制御指令送信部３３６ｋとして機能する。なお、運転状況把握部３３６ａ、提示要求受付部３３６ｂ、メーター値取得部３３６ｃ、抑制可能量提示部３３６ｇ、提示制御部３３６ｈ、選択指令受付部３３６ｉ、制御指令生成部３３６ｊ、および制御指令送信部３３６ｋは、第１実施形態に係る運転状況把握部３６ａ、提示要求受付部３６ｂ、メーター値取得部３６ｃ、抑制可能量提示部３６ｇ、提示制御部３６ｈ、選択指令受付部３６ｉ、制御指令生成部３６ｊ、および制御指令送信部３６ｋと同様である。したがって、ここでは、エネルギー消費量算出部３３６ｄ、推定量算出部２３６ｅおよび抑制可能量判定部２３６ｆについて説明する。
【０１２９】
ａ）エネルギー消費量算出部
エネルギー消費量算出部３３６ｄは、運転状況把握部３３６ａによって把握された設備機器の現在の運転状況と、メーター値記憶領域に記憶されている値とに基づいて、現在の制御を継続した場合の所定時間における空調機４０，４０，・・・のエネルギー消費量を算出する。
【０１３０】
ｂ）推定量算出部
推定量算出部３３６ｅは、各条件に応じてエネルギー抑制制御（第２制御）を行った場合に消費されるエネルギー量（推定消費量）を算出する。具体的には、運用スケジュールで設定されている空調能力を、時間帯に応じてどの程度低下させることができるかに関する情報（低下許容能力）を予め設定しておき、低下許容能力で空調機４０，４０，・・・を動作させた場合のエネルギー消費量が推定される。
【０１３１】
ｃ）抑制可能量判定部
抑制可能量判定部３３６ｆは、エネルギー消費量算出部３３６ｄによって算出されたエネルギー消費量と、推定量算出部３３６ｅによって算出された推定消費量とに基づいて、エネルギー抑制可能量を判定する。例えば、低下許容能力が一定であった場合に抑制可能量判定部３３６ｆによって判定されるエネルギー抑制可能量を説明する（図１６参照）。図１６の縦軸には、運用スケジュールに基づいた空調機４０，４０，・・・の制御により消費されるエネルギー量を示し、横軸には、運用スケジュールに基づいた各制御の開始時刻を示す。図１６の破線Ｌ１は、上述の推定量算出部３３６ｅによって算出される低下許容能力におけるエネルギー消費量を示す。抑制可能量判定部３３６ｆは、エネルギー消費量と推定消費量との差（図１６の斜線で示す部分）をエネルギー抑制可能量として判定する。これにより、抑制可能量判定部３３６ｆは、エネルギー抑制制御の開始時刻と、当該開始時刻における抑制可能量とを判定する（図１７参照）。
【０１３２】
＜特徴＞
上記実施形態に係るエネルギー管理システム３００では、下位コントローラ３３０，３３０が、運用スケジュールを考慮したエネルギー抑制可能量を、上位コントローラ１０に提示する。すなわち、各物件Ａ，Ｂに対してそれぞれ設定されている制御内容から大きく外れることなく、制御内容に沿ったエネルギー抑制可能量を提示することができる。したがって、例えば、各物件Ａ，Ｂが、複数店舗を有するチェーン店の店舗であった場合、本社または親会社は、各店舗を効果的に管理するため、各店舗に対して空調機４０，４０，・・・運用スケジュールを設定することが多い。この場合であっても、各物件Ａ，Ｂは、本社または親会社からの要求を踏まえたエネルギー抑制可能量を提示することができる。
【０１３３】
＜変形例＞
（Ａ）
本実施形態では、抑制可能量判定部３３６ｆが、運用スケジュールに基づいた制御を継続した場合のエネルギー消費量と、低下許容能力で空調機４０，４０，・・・を動作させた場合の推定消費量との差を用いて、エネルギー抑制可能量を判定したが、記憶部３３５に、運用スケジュールに基づいた、空調機の個々のエネルギー抑制可能量を予め記憶させておき、抑制可能量判定部３３６ｆは、エネルギー抑制制御の開始時刻と、当該開始時刻に許容しうる個々のエネルギー抑制可能量とに基づいて、条件別の、物件全体のエネルギー抑制可能量（個々のエネルギー抑制可能量の合計値）を判定してもよい。
【０１３４】
＜第４実施形態＞
次に、第４実施形態に係るエネルギー管理システム４００について説明する（図１８参照）。エネルギー管理システム４００では、設備機器としての空調機４０，４０、照明５０，５０、および換気扇６０，６０により消費されるエネルギーを管理している。エネルギー管理システム４００もまた、下位コントローラ４３０，４３０の構成を除き、第１実施形態に係るエネルギー管理システム１００と同様である。したがって、ここでも、下位コントローラ４３０の構成について説明する。
【０１３５】
下位コントローラ４３０は、図１９に示すように、主として、通信部４３１、表示部４３２、入力部４３３、タイマー部４３４、記憶部４３５、および制御部４３６から構成されている。ここで、通信部４３１、表示部４３２、入力部４３３、およびタイマー部４３４は、第１実施形態に係る通信部３１、表示部３２、入力部３３、およびタイマー部３４と同様の構成である。したがって、以下、記憶部４３５および制御部４３６について説明する。
【０１３６】
〔記憶部〕
記憶部４３５は、主として、ハードディスクから構成されている。記憶部４３５には、後述する制御部４３６が読み出して実行可能なプログラムが記憶されている。また、記憶部４３５は、主として、運転状況記憶領域４３５ａ、条件記憶領域４３５ｂ、制御情報記憶領域４３５ｃ、メーター値記憶領域４３５ｄ、および機器情報記憶領域４３５ｅを有する。なお、制御情報記憶領域４３５ｃおよびメーター値記憶領域４３５ｄについては、第１実施形態に係る制御情報記憶領域３５ｃおよびメーター値記憶領域３５ｄと同様である。したがって、以下、運転状況記憶領域４３５ａ、条件記憶領域４３５ｂ、および機器情報記憶領域４３５ｅについて説明する。
【０１３７】
ａ）運転状況記憶領域
運転状況記憶領域４３５ａには、後述する運転状況把握部４３６ａによって取得された設備機器の運転状況が記憶されている。設備機器には、上述したように、空調機４０、照明５０、および換気扇６０が含まれる。なお、運転状況には、設備機器の運転／停止、稼働時間、および稼働率が含まれる。空調機４０の運転状況については、さらに、設定温度、吸込み温度、および稼動時の運転能力（％）等が含まれる。
【０１３８】
ｂ）条件記憶領域
条件記憶領域４３５ｂには、後述する抑制可能量提示部４３６ｇによって複数のエネルギー抑制可能量を提示するための条件が記憶されている。複数のエネルギー抑制可能量を提示するための条件は、エネルギー抑制を開始する時刻（応答時刻）に関する前提である（第２の条件）。当該条件は、複数種類の設備機器の応答可能時刻を考慮して設定される。これにより、条件記憶領域４３５ｂに記憶されている応答時刻別に、エネルギー抑制可能量が変動する。
【０１３９】
ｃ）機器情報記憶領域
機器情報記憶領域４３５ｅには、図２０に示すように、物件内に設置された設備機器の種類と、当該設備機器の応答可能時刻と、当該設備機器の所定時間におけるエネルギー消費量とが関連付けて記憶されている。応答可能時間とは、エネルギー抑制制御を開始できる時刻を示す。ここでは、設備機器の種類として、照明、空調機、およびその他機器が記憶されている。その他機器に、図１８の換気扇６０が含まれる。上位コントローラ１０から選択指令が送られると、照明５０は直ちにエネルギー抑制制御が可能であり、空調機４０は５分後、その他機器６０は１５分後にそれぞれエネルギー抑制が可能である。照明５０の所定時間におけるエネルギー消費量は２５ｋＷである。また、空調機４０の所定時間におけるエネルギー消費量は５０ｋＷである。また、その他機器の所定時間におけるエネルギー消費量は５０ｋＷである。
【０１４０】
〔制御部〕
制御部４３６は、主として、ＣＰＵ、ＲＯＭおよびＲＡＭから構成されており、上述の記憶部４３５に記憶されているプログラムを読み出して実行する。
【０１４１】
制御部４３６は、図１９に示すように、主として、運転状況把握部４３６ａ、提示要求受付部４３６ｂ、メーター値取得部４３６ｃ、エネルギー消費量算出部４３６ｄ、推定量算出部４３６ｅ、抑制可能量判定部４３６ｆ、抑制可能量提示部４３６ｇ、提示制御部４３６ｈ、選択指令受付部４３６ｉ、制御指令生成部４３６ｊ、および制御指令送信部４３６ｋとして機能する。なお、提示要求受付部４３６ｂ、メーター値取得部４３６ｃ、抑制可能量提示部４３６ｇ、提示制御部４３６ｈ、選択指令受付部４３６ｉ、制御指令生成部４３６ｊ、および制御指令送信部４３６ｋは、第１実施形態に係る提示要求受付部３６ｂ、メーター値取得部３６ｃ、抑制可能量提示部３６ｇ、提示制御部３６ｈ、選択指令受付部３６ｉ、制御指令生成部３６ｊ、および制御指令送信部３６ｋと同様である。したがって、ここでは、運転状況把握部４３６ａ、推定量算出部４３６ｅ、および抑制可能量判定部４３６ｆについて説明する。
【０１４２】
ａ）運転状況把握部
運転状況把握部４３６ａは、所定時間間隔（本実施形態では、５分間隔）で、設備機器４０，５０，６０の運転状況を把握する。運転状況には、上述したように、設備機器４０，５０，６０の運転／停止、稼働時間、および稼働率が含まれる。空調機４０の運転状況については、さらに、設定温度、吸込み温度、および稼動時の運転能力（％）等が含まれる。運転状況把握部４３６ａによって把握された、設備機器４０，５０，６０の運転状況は、上述の運転状況記憶領域４３５ａに記憶される。
【０１４３】
ｂ）エネルギー消費量算出部
エネルギー消費量算出部４３６ｄは、上述の運転状況把握部４３６ａによって把握された設備機器の現在の運転状況と、メーター値記憶領域に記憶されているデータとに基づいて、現在の制御を継続した場合の所定時間における設備機器４０，５０，６０のエネルギー消費量を算出する。
【０１４４】
ｃ）推定量算出部
推定量算出部４３６ｅは、各条件に応じてエネルギー抑制制御（第２制御）を行った場合に消費されるエネルギー量（推定消費量）を算出する。
【０１４５】
例えば、直ちにエネルギー抑制制御を実行する場合、エネルギー抑制制御を実行できる設備機器は、照明５０のみであるため、空調機４０およびその他の機器によるエネルギー消費量を推定消費量として算出する。また、５分後にエネルギー抑制制御を実行する場合、エネルギー抑制制御を実行できる設備機器は、照明５０および空調機４０であるため、その他の機器によるエネルギー消費量を推定消費量として算出する。同様に、１５分後にエネルギー抑制制御を実行する場合、全設備機器についてエネルギー抑制制御を実行できるため、全設備機器についてエネルギー抑制制御を実行した場合の推定消費量を算出する。
【０１４６】
ｄ）抑制可能量判定部
抑制可能量判定部４３６ｆは、エネルギー消費量算出部４３６ｄによって算出されたエネルギー消費量と、推定量算出部４３６ｅによって算出された推定消費量とに基づいて、エネルギー抑制可能量を判定する。具体的には、現在の設定によるエネルギー消費量と、現在の設定を条件に応じて変更した場合のエネルギー消費量との差を、エネルギー抑制可能量として判定する。
【０１４７】
なお、抑制可能量判定部４３６ｆは、条件記憶領域４３５ｂに記憶されている条件にそれぞれ対応するエネルギー抑制可能量を判定する。すなわち、本実施形態では、図２１に示すように、条件Ａ〜条件Ｃのそれぞれに対応した三種類のエネルギー抑制可能量が判定される。
【０１４８】
＜特徴＞
上記実施形態では、条件記憶領域４３５ｂに、複数種類の設備機器の応答可能時刻を考慮した条件が記憶されている。設備機器の種類によっては、その性質上、即座にエネルギー抑制制御を行っても不具合が生じないものと、エネルギー抑制制御までに一定時間を要するものとが存在する。本実施形態に係る条件記憶領域４３５ｂには、設備機器の応答可能時刻を考慮した条件が記憶されているため、物件Ａ，Ｂでの不具合を低減させることができる。
【０１４９】
＜変形例＞
（Ａ）
本実施形態では、条件記憶領域４３５ｂに、設備機器の種類別に異なる応答可能時刻を設定し、当該応答可能時刻に関した条件が記憶されていたが、さらに、応答可能時刻を設備機器の設置場所に応じて異なる値に設定してもよい。
【０１５０】
（Ｂ）
本実施形態では、機器情報記憶領域４３５ｅに、物件内に設置された設備機器の種類と、当該設備機器の応答可能時刻と、当該設備機器の所定時間におけるエネルギー消費量とが関連付けて記憶され、抑制可能量判定部４３６ｆは、エネルギー抑制制御を実行した場合の推定消費量と、現在の制御を継続した場合のエネルギー消費量との差を用いてエネルギー抑制可能量を判定した。しかし、所定時間における設備機器のエネルギー消費量に代えて、所定時間における設備機器の個々のエネルギー抑制可能量を、機器情報記憶領域４３５ｅに予め記憶させておき、抑制可能量判定部４３６ｆは、当該個々のエネルギー抑制可能量に基づいて、条件別の、物件全体のエネルギー抑制可能量（個々のエネルギー抑制可能量の合計値）を判定してもよい。
【０１５１】
＜その他の実施形態＞
上記第１実施形態から第４実施形態における各条件記憶領域３５ｂ、２３５ｂ、３３５ｂ、４３５ｂに記憶された条件を全て記憶させた下位コントローラを設け、全ての条件のうち、一または複数の条件に基づいて判定した複数のエネルギー抑制可能量が提示されるように設計されていてもよい。
【産業上の利用可能性】
【０１５２】
本発明は、エネルギー消費の抑制および各物件における快適性の確保の双方を考慮したエネルギー管理システムとして有用である。
【符号の説明】
【０１５３】
１  電力会社
２  物件
６  電源
７  電力メーター
３０，２３０，３３０，４３０  下位コントローラ
４０  空調機
５０  照明
６０  換気扇
１００，２００，３００，４００  エネルギー管理システム
【先行技術文献】
【特許文献】
【０１５４】
【特許文献１】特開２００５−１０７９０１号公報
【図１】
2011193577.tif 000003
【図２】
2011193577.tif 000004
【図３】
2011193577.tif 000005
【図４】
2011193577.tif 000006
【図５】
2011193577.tif 000007
【図６Ａ】
2011193577.tif 000008
【図６Ｂ】
2011193577.tif 000009
【図７】
2011193577.tif 000010
【図８】
2011193577.tif 000011
【図９】
2011193577.tif 000012
【図１０】
2011193577.tif 000013
【図１１】
2011193577.tif 000014
【図１２】
2011193577.tif 000015
【図１３】
2011193577.tif 000016
【図１４】
2011193577.tif 000017
【図１５】
2011193577.tif 000018
【図１６】
2011193577.tif 000019
【図１７】
2011193577.tif 000020
【図１８】
2011193577.tif 000021
【図１９】
2011193577.tif 000022
【図２０】
2011193577.tif 000023
【図２１】
2011193577.tif 000024
【手続補正書】
【提出日】平成23年7月13日(2011.7.13)
【手続補正１】
【補正対象書類名】特許請求の範囲
【補正対象項目名】全文
【補正方法】変更
【補正の内容】
【特許請求の範囲】
【請求項１】
複数物件の上位に位置し、各物件に設置された空調機に供給されるエネルギーを管理するエネルギー管理装置（１０）と、
前記エネルギー管理装置に接続され、前記各物件の前記空調機を制御する制御装置（３０，３０）と、
を備え、
前記制御装置は、
前記空調機の運転状況を把握する運転状況把握部（３６ａ，２３６ａ，３３６ａ，４３６ａ）と、
前記運転状況に基づいて、前記空調機のエネルギー抑制可能量であって、条件別の複数の前記エネルギー抑制可能量、を前記エネルギー管理装置に提示する抑制可能量提示部（３６ｇ，２３６ｇ，３３６ｇ，４３６ｇ）と、
を有し、
前記運転状況把握部は、前記空調機による空調状態が安定している状態である第１状態と、前記空調状態が安定していない状態である第２状態とを把握し、
前記抑制可能量提示部は、前記空調状態に基づいて、前記条件別の前記エネルギー抑制可能量を提示する、
エネルギー管理システム。
【請求項２】
前記条件は、前記空調機のエネルギー抑制の継続時間に関する第１の条件、および前記エネルギー抑制の開始時刻に関する第２の条件の少なくともいずれか一方を含み、
前記エネルギー抑制可能量は、前記エネルギー抑制の継続時間または前記エネルギー抑制の開始時刻に応じて変動する、
請求項１に記載のエネルギー管理システム。
【請求項３】
前記制御装置は、
前記運転状況把握部によって把握された現在の運転状況に基づいて、前記エネルギー抑制を行わない第１制御により消費されるエネルギー量であるエネルギー消費量を算出するエネルギー消費量算出部（３６ｄ，２３６ｄ，３３６ｄ，４３６ｄ）と、
前記条件に応じた前記エネルギー抑制を行う第２制御、により消費されるエネルギー量である推定消費量を算出する推定消費量算出部（３６ｅ，２３６ｅ，３３６ｅ，４３６ｅ）と、
をさらに有し、
前記抑制可能量提示部は、前記エネルギー消費量および前記推定消費量に基づいた前記エネルギー抑制可能量を提示する、
請求項２に記載のエネルギー管理システム。
【請求項４】
前記制御装置は、各空調機の個々のエネルギーの抑制可能量を記憶する記憶部（３５，２３５，３３５，４３５）をさらに有し、
前記抑制可能量提示部は、前記条件に応じて前記エネルギー抑制を行う空調機と、前記記憶部に記憶された前記個々のエネルギー抑制可能量とに基づいた、前記物件全体の前記エネルギー抑制可能量を提示する、
請求項２に記載のエネルギー管理システム。
【請求項５】
前記運転状況把握部は、前記空調機の稼働率、稼動している前記空調機の種類、前記空調機の稼働時間、前記空調機の負荷率、および前記空調機の運転スケジュールの少なくともいずれか一つを含む前記運転状況を把握する、
請求項１から４のいずれかに記載のエネルギー管理システム。
【請求項６】
前記制御装置は、
前記抑制可能量提示部による前記エネルギー抑制可能量の提示を制御する提示制御部（３６ｈ，２３６ｈ，３３６ｈ，４３６ｈ）と、
提示した前記エネルギー抑制可能量のうち、前記エネルギー管理装置によって選択されたいずれかの前記エネルギー抑制可能量を実現する制御指令を生成する制御指令生成部（３６ｊ，２３６ｊ，３３６ｊ，４３６ｊ）と
をさらに有し、
前記提示制御部は、
前記制御指令が生成された後の所定時間である第１の時間は、前記抑制可能量提示部による前記エネルギー抑制可能量の提示を制限する第１処理部（３６ｈａ）と、
前記第１の時間とは異なる第２の時間は、前記抑制可能量提示部による前記エネルギー抑制可能量の提示を許容する第２処理部（３６ｈｂ）と
を含む、
請求項１〜５のいずれかに記載のエネルギー管理システム。
【請求項７】
前記制御装置は、
前記条件を記憶する条件記憶領域（３５ｂ）と、
ユーザにより入力された快適性の判定結果を記憶する快適性判定結果記憶領域（３５ｅ）と
をさらに有し、
前記条件記憶領域は、前記判定結果に基づいて、前記条件を更新する、
請求項６に記載のエネルギー管理システム。
【請求項８】
複数物件の上位に位置し、各物件に設置された設備機器に供給されるエネルギーを管理するエネルギー管理装置（１０）と、
前記エネルギー管理装置に接続され、前記各物件の前記設備機器を制御する制御装置（３０，３０）と、
を備え、
前記制御装置は、
前記設備機器の運転状況を把握する運転状況把握部（３６ａ，２３６ａ，３３６ａ，４３６ａ）と、
前記運転状況に基づいて、前記設備機器のエネルギー抑制可能量であって、条件別の複数の前記エネルギー抑制可能量、を前記エネルギー管理装置に提示する抑制可能量提示部（３６ｇ，２３６ｇ，３３６ｇ，４３６ｇ）と、
前記抑制可能量提示部による前記エネルギー抑制可能量の提示を制御する提示制御部（３６ｈ，２３６ｈ，３３６ｈ，４３６ｈ）と、
提示した前記エネルギー抑制可能量のうち、前記エネルギー管理装置によって選択されたいずれかの前記エネルギー抑制可能量を実現する制御指令を生成する制御指令生成部（３６ｊ，２３６ｊ，３３６ｊ，４３６ｊ）と、
を有し、
前記提示制御部は、
前記制御指令が生成された後の所定時間である第１の時間は、前記抑制可能量提示部による前記エネルギー抑制可能量の提示を制限する第１処理部（３６ｈａ）と、
前記第１の時間とは異なる第２の時間は、前記抑制可能量提示部による前記エネルギー抑制可能量の提示を許容する第２処理部（３６ｈｂ）とを含む、
エネルギー管理システム。
【請求項９】
前記条件は、前記設備機器のエネルギー抑制の継続時間に関する第１の条件、および前記エネルギー抑制の開始時刻に関する第２の条件の少なくともいずれか一方を含み、
前記エネルギー抑制可能量は、前記エネルギー抑制の継続時間または前記エネルギー抑制の開始時刻に応じて変動する、
請求項８に記載のエネルギー管理システム。
【請求項１０】
前記制御装置は、
前記運転状況把握部によって把握された現在の運転状況に基づいて、前記エネルギー抑制を行わない第１制御により消費されるエネルギー量であるエネルギー消費量を算出するエネルギー消費量算出部（３６ｄ，２３６ｄ，３３６ｄ，４３６ｄ）と、
前記条件に応じた前記エネルギー抑制を行う第２制御、により消費されるエネルギー量である推定消費量を算出する推定消費量算出部（３６ｅ，２３６ｅ，３３６ｅ，４３６ｅ）と、
をさらに有し、
前記抑制可能量提示部は、前記エネルギー消費量および前記推定消費量に基づいた前記エネルギー抑制可能量を提示する、
請求項９に記載のエネルギー管理システム。
【請求項１１】
前記制御装置は、各設備機器の個々のエネルギーの抑制可能量を記憶する記憶部（３５，２３５，３３５，４３５）をさらに有し、
前記抑制可能量提示部は、前記条件に応じて前記エネルギー抑制を行う設備機器と、前記記憶部に記憶された前記個々のエネルギー抑制可能量とに基づいた、前記物件全体の前記エネルギー抑制可能量を提示する、
請求項９に記載のエネルギー管理システム。
【請求項１２】
前記運転状況把握部は、前記設備機器の稼働率、稼動している前記設備機器の種類、前記設備機器の稼働時間、前記設備機器の負荷率、および前記設備機器の運転スケジュールの少なくともいずれか一つを含む前記運転状況を把握する、
請求項８から１１のいずれかに記載のエネルギー管理システム。
【請求項１３】
前記制御装置は、
前記条件を記憶する条件記憶領域（３５ｂ）と、
ユーザにより入力された快適性の判定結果を記憶する快適性判定結果記憶領域（３５ｅ）と
をさらに有し、
前記条件記憶領域は、前記判定結果に基づいて、前記条件を更新する、
請求項８に記載のエネルギー管理システム。
【請求項１４】
複数物件の上位に位置し、各物件に設置された設備機器に供給されるエネルギーを管理するエネルギー管理装置（１０）と、
前記エネルギー管理装置に接続され、前記各物件の前記設備機器を制御する制御装置（３０，３０）と、
を備え、
前記制御装置は、
前記設備機器の運転状況を把握する運転状況把握部（３６ａ，２３６ａ，３３６ａ，４３６ａ）と、
前記運転状況に基づいて、前記設備機器のエネルギー抑制可能量であって、条件別の複数の前記エネルギー抑制可能量、を前記エネルギー管理装置に提示する抑制可能量提示部（３６ｇ，２３６ｇ，３３６ｇ，４３６ｇ）と
を有し、
前記条件は、前記設備機器のエネルギー抑制の継続時間に関する条件であり、
前記抑制可能量提示部は、前記エネルギー抑制の複数の継続時間と、前記複数の継続時間にそれぞれ対応して許容しうる複数の前記エネルギー抑制可能量とを前記エネルギー管理装置に提示する、
エネルギー管理システム。
【請求項１５】
前記制御装置は、
前記運転状況把握部によって把握された現在の運転状況に基づいて、前記エネルギー抑制を行わない第１制御により消費されるエネルギー量であるエネルギー消費量を算出するエネルギー消費量算出部（３６ｄ，２３６ｄ，３３６ｄ，４３６ｄ）と、
前記条件に応じた前記エネルギー抑制を行う第２制御、により消費されるエネルギー量である推定消費量を算出する推定消費量算出部（３６ｅ，２３６ｅ，３３６ｅ，４３６ｅ）と、
をさらに有し、
前記抑制可能量提示部は、前記エネルギー消費量および前記推定消費量に基づいた前記エネルギー抑制可能量を提示する、
請求項１４に記載のエネルギー管理システム。
【請求項１６】
前記制御装置は、各設備機器の個々のエネルギーの抑制可能量を記憶する記憶部（３５，２３５，３３５，４３５）をさらに有し、
前記抑制可能量提示部は、前記条件に応じて前記エネルギー抑制を行う設備機器と、前記記憶部に記憶された前記個々のエネルギー抑制可能量とに基づいた、前記物件全体の前記エネルギー抑制可能量を提示する、
請求項１４に記載のエネルギー管理システム。
【請求項１７】
前記運転状況把握部は、前記設備機器の稼働率、稼動している前記設備機器の種類、前記設備機器の稼働時間、前記設備機器の負荷率、および前記設備機器の運転スケジュールの少なくともいずれか一つを含む前記運転状況を把握する、
請求項１４から１６のいずれかに記載のエネルギー管理システム。
【請求項１８】
前記設備機器は、空調機であり、
前記運転状況把握部は、前記空調機による空調状態が安定している状態である第１状態と、前記空調状態が安定していない状態である第２状態とを把握し、
前記抑制可能量提示部は、前記空調状態に基づいて、前記条件別の前記エネルギー抑制可能量を提示する、
請求項１４から１７のいずれかに記載のエネルギー管理システム。
【請求項１９】
前記制御装置は、
前記抑制可能量提示部による前記エネルギー抑制可能量の提示を制御する提示制御部（３６ｈ，２３６ｈ，３３６ｈ，４３６ｈ）と、
提示した前記エネルギー抑制可能量のうち、前記エネルギー管理装置によって選択されたいずれかの前記エネルギー抑制可能量を実現する制御指令を生成する制御指令生成部（３６ｊ，２３６ｊ，３３６ｊ，４３６ｊ）と
をさらに有し、
前記提示制御部は、
前記制御指令が生成された後の所定時間である第１の時間は、前記抑制可能量提示部による前記エネルギー抑制可能量の提示を制限する第１処理部（３６ｈａ）と、
前記第１の時間とは異なる第２の時間は、前記抑制可能量提示部による前記エネルギー抑制可能量の提示を許容する第２処理部（３６ｈｂ）と
を含む、
請求項１４から１８のいずれかに記載のエネルギー管理システム。
【請求項２０】
前記制御装置は、
前記条件を記憶する条件記憶領域（３５ｂ）と、
ユーザにより入力された快適性の判定結果を記憶する快適性判定結果記憶領域（３５ｅ）と
をさらに有し、
前記条件記憶領域は、前記判定結果に基づいて、前記条件を更新する、
請求項１９に記載のエネルギー管理システム。
【手続補正２】
【補正対象書類名】明細書
【補正対象項目名】全文
【補正方法】変更
【補正の内容】
【発明の詳細な説明】
【技術分野】
【０００１】
本発明は、エネルギー管理システムに関する。
【背景技術】
【０００２】
従来、複数物件に供給されるエネルギーを管理するエネルギー管理会社は、季節や時間帯に応じて増加するエネルギー量を抑制するために、各物件に対して使用電力の削減を要請している。各物件は、例えば、特許文献１（特開２００５−１０７９０１号公報）にあるように、エネルギー管理会社に対して、抑制可能なエネルギー量および時間帯を提示し、エネルギー管理会社は、提示された抑制可能なエネルギー量および時間帯に応じてエネルギー量を抑制していた。
【発明の概要】
【発明が解決しようとする課題】
【０００３】
ところで、抑制可能なエネルギー量および時間帯は各物件からそれぞれ提示されるため、全ての物件から提示される抑制可能なエネルギー量および時間帯が、全体として妥当なものでない場合もある。一方、エネルギー管理会社が、全物件に対して抑制させるエネルギー量および時間帯を予め決定した場合には、物件における快適性を十分に考慮することができない。
【０００４】
そこで、本発明の課題は、エネルギー抑制および各物件における快適性の確保の双方を考慮したエネルギー管理システムを提供することにある。
【課題を解決するための手段】
【０００５】
第１発明に係るエネルギー管理システムは、エネルギー管理装置と、制御装置とを備えるエネルギー管理システムである。エネルギー管理装置は、複数物件の上位に位置し、各物件に設置された空調機に供給されるエネルギーを管理する。制御装置は、エネルギー管理装置に接続され、各物件の空調機を制御する。制御装置は、運転状況把握部と、抑制可能量提示部とを有する。運転状況把握部は、空調機の運転状況を把握する。抑制可能量提示部は、運転状況に基づいて、空調機のエネルギー抑制可能量であって、条件別の複数のエネルギー抑制可能量をエネルギー管理装置に提示する。また、運転状況把握部は、第１状態と第２状態とを把握する。第１状態は、空調機による空調状態が安定している状態である。第２状態は、空調状態が安定していない状態である。また、抑制可能量提示部は、空調状態に基づいて、条件別のエネルギー抑制可能量を提示する。
【０００６】
本発明に係るエネルギー管理システムでは、各物件に設置された制御装置において、空調機の運転状況が把握される。把握された運転状況に基づいて、条件別の複数のエネルギー抑制可能量がエネルギー管理装置に提示される。また、運転状況把握部は、空調機による空調状態に基づいて、条件別のエネルギー抑制可能量を提示する。
【０００７】
これにより、エネルギー抑制と、各物件における快適性の確保との双方を考慮することができる。また、空調状態に極端な影響を与えずに、適切なエネルギー抑制を行うことができる。
【０００８】
第２発明に係るエネルギー管理システムは、第１発明に係るエネルギー管理システムであって、条件は、第１の条件および第２の条件の少なくともいずれか一方を含む。第１の条件は、空調機のエネルギー抑制の継続時間に関する条件である。第２の条件は、エネルギー抑制の開始時刻に関する条件である。エネルギー抑制可能量は、エネルギー抑制の継続時間またはエネルギー抑制の開始時刻に応じて変動する。
【０００９】
本発明に係るエネルギー管理システムでは、条件は、第１の条件および第２の条件の少なくともいずれか一方を含む。第１の条件は、エネルギー抑制の継続時刻に関する条件である。第２の条件は、エネルギー抑制の開始時刻に関する条件である。また、エネルギー抑制可能量は、エネルギー抑制の継続時間またはエネルギー抑制の開始時刻に応じて変動する。
【００１０】
影響を与える時間（継続時間および／または開始時刻）を考慮したエネルギー抑制可能量が提示されるため、ユーザの快適性の低下を抑制することができる。
【００１１】
第３発明に係るエネルギー管理システムは、第２発明に係るエネルギー管理システムであって、制御装置は、エネルギー消費量算出部と、推定消費量算出部をさらに有する。エネルギー消費量算出部は、運転状況把握部によって把握された現在の運転状況に基づいて、エネルギー消費量を算出する。エネルギー消費量は、エネルギー抑制を行わない第１制御により消費されるエネルギー量である。推定消費量算出部は、推定消費量を推定する。推定消費量は、条件に応じたエネルギー抑制を行う第２制御により消費されるエネルギー量である。また、抑制可能量提示部は、エネルギー消費量および推定消費量に基づいたエネルギー抑制可能量を提示する。
【００１２】
本発明に係るエネルギー管理システムでは、把握された現在の運転状況に基づいて、エネルギー抑制を行わない制御により消費されるエネルギー量であるエネルギー消費量が算出される。また、各条件に応じたエネルギー抑制を行う場合に消費されるエネルギー量である推定消費量が算出される。エネルギー消費量と、推定消費量とに基づいたエネルギー抑制可能量が提示される。
【００１３】
これにより、運転状況に応じた、条件毎のエネルギー抑制可能量を提示することができる。
【００１４】
第４発明に係るエネルギー管理システムは、第２発明に係るエネルギー管理システムであって、制御装置は、記憶部をさらに有する。記憶部は、各空調機の、個々のエネルギー抑制可能量を記憶する。抑制可能量提示部は、条件に応じてエネルギー抑制を行う空調機と、記憶部に記憶された個々のエネルギー抑制可能量とに基づいた、物件全体のエネルギー抑制可能量を提示する。
【００１５】
本発明に係るエネルギー管理システムでは、各空調機の個々のエネルギー抑制可能量が記憶されている。また、条件に応じてエネルギー抑制を行う空調機と、当該空調機のエネルギー抑制可能量とに基づいた、物件全体のエネルギー抑制可能量が提示される。
【００１６】
これにより、運転状況に応じた、条件毎のエネルギー抑制可能量を提示することができる。
【００１７】
第５発明に係るエネルギー管理システムは、第１発明から第４発明のいずれかに係るエネルギー管理システムであって、運転状況把握部は、空調機の稼働率、稼動している空調機の種類、空調機の稼働時間、空調機の負荷率、および空調機の運転スケジュールの少なくともいずれか一つを含む運転状況を把握する。
【００１８】
本発明に係るエネルギー管理システムでは、運転状況には、空調機の稼働率、稼動している空調機の種類、空調機の稼働時間、空調機の負荷率、および空調機の運転スケジュールの少なくとも一つが含まれる。
【００１９】
これにより、空調機の運転状況を考慮して、適切なエネルギー抑制可能量を提示することができる。
【００２０】
第６発明に係るエネルギー管理システムは、第１発明から第５発明のいずれかに係るエネルギー管理システムであって、制御装置は、提示制御部と、制御指令生成部とをさらに有する。提示制御部は、抑制可能量提示部によるエネルギー抑制可能量の提示を制御する。制御指令生成部は、制御指令を生成する。制御指令は、提示したエネルギー抑制可能量のうち、エネルギー管理装置によって選択されたいずれかのエネルギー抑制可能量を実現するための指令である。また、提示制御部は、第１処理部と第２処理部とを含む。第１処理部は、第１の時間は抑制可能量提示部によるエネルギー抑制可能量の提示を制限する。第１の時間は、制御指令が生成された後の所定時間である。第２処理部は、抑制可能量提示部によるエネルギー抑制可能量の提示を許容する。第２の時間は、第１の時間とは異なる時間である。
【００２１】
本発明に係るエネルギー管理システムでは、条件別のエネルギー抑制可能量が提示される。また、エネルギー管理装置によって選択されたエネルギー抑制可能量を実現するための制御指令が生成される。制御指令が生成された後の所定時間は、エネルギー抑制可能量の提示が制限され、それ以外の時間はエネルギー抑制可能量が提示される。
【００２２】
これにより、エネルギー抑制が頻繁に実施されることを制限することができる。
【００２３】
第７発明に係るエネルギー管理システムは、第６発明に係るエネルギー管理システムであって、制御装置は、条件記憶領域と、快適性判定結果記憶領域とをさらに有する。条件記憶領域は、条件を記憶する。快適性判定結果記憶領域は、ユーザにより入力された快適性の判定結果を記憶する。条件記憶領域は、判定結果に基づいて、条件を更新する。
【００２４】
本発明に係るエネルギー管理システムでは、ユーザにより入力された快適性の判定結果が記憶される。判定結果に基づいて、エネルギー抑制可能量に関する条件が更新される。
【００２５】
これにより、ユーザにとっての快適性を、一層向上させることができる。
【００２６】
第８発明に係るエネルギー管理システムは、エネルギー管理装置と、制御装置とを備えるエネルギー管理システムである。エネルギー管理装置は、複数物件の上位に位置し、各物件に設置された設備機器に供給されるエネルギーを管理する。制御装置は、エネルギー管理装置に接続され、各物件の設備機器を制御する。制御装置は、運転状況把握部と、抑制可能量提示部と、提示制御部と、制御指令生成部とを有する。運転状況把握部は、設備機器の運転状況を把握する。抑制可能量提示部は、運転状況に基づいて、設備機器のエネルギー抑制可能量であって、条件別の複数のエネルギー抑制可能量をエネルギー管理装置に提示する。提示制御部は、抑制可能量提示部によるエネルギー抑制可能量の提示を制御する。制御指令生成部は、制御指令を生成する。制御指令は、提示したエネルギー抑制可能量のうち、エネルギー管理装置によって選択されたいずれかのエネルギー抑制可能量を実現するための指令である。また、提示制御部は、第１処理部と第２処理部とを含む。第１処理部は、第１の時間は抑制可能量提示部によるエネルギー抑制可能量の提示を制限する。第１の時間は、制御指令が生成された後の所定時間である。第２処理部は、抑制可能量提示部によるエネルギー抑制可能量の提示を許容する。第２の時間は、第１の時間とは異なる時間である。
【００２７】
本発明に係るエネルギー管理システムでは、各物件に設置された制御装置において、設備機器の運転状況が把握される。把握された運転状況に基づいて、条件別の複数のエネルギー抑制可能量がエネルギー管理装置に提示される。また、条件別のエネルギー抑制可能量が提示される。また、エネルギー管理装置によって選択されたエネルギー抑制可能量を実現するための制御指令が生成される。制御指令が生成された後の所定時間は、エネルギー抑制可能量の提示が制限され、それ以外の時間はエネルギー抑制可能量が提示される。
【００２８】
これにより、エネルギー抑制と、各物件における快適性の確保との双方を考慮することができる。また、エネルギー抑制が頻繁に実施されることを制限することができる。
【００２９】
第９発明に係るエネルギー管理システムは、第８発明に係るエネルギー管理システムであって、条件は、第１の条件および第２の条件の少なくともいずれか一方を含む。第１の条件は、設備機器のエネルギー抑制の継続時間に関する条件である。第２の条件は、エネルギー抑制の開始時刻に関する条件である。エネルギー抑制可能量は、エネルギー抑制の継続時間またはエネルギー抑制の開始時刻に応じて変動する。
【００３０】
本発明に係るエネルギー管理システムでは、条件は、第１の条件および第２の条件の少なくともいずれか一方を含む。第１の条件は、エネルギー抑制の継続時刻に関する条件である。第２の条件は、エネルギー抑制の開始時刻に関する条件である。また、エネルギー抑制可能量は、エネルギー抑制の継続時間またはエネルギー抑制の開始時刻に応じて変動する。
【００３１】
影響を与える時間（継続時間および／または開始時刻）を考慮したエネルギー抑制可能量が提示されるため、ユーザの快適性の低下を抑制することができる。
【００３２】
第１０発明に係るエネルギー管理システムは、第９発明に係るエネルギー管理システムであって、制御装置は、エネルギー消費量算出部と、推定消費量算出部をさらに有する。エネルギー消費量算出部は、運転状況把握部によって把握された現在の運転状況に基づいて、エネルギー消費量を算出する。エネルギー消費量は、エネルギー抑制を行わない第１制御により消費されるエネルギー量である。推定消費量算出部は、推定消費量を推定する。推定消費量は、条件に応じたエネルギー抑制を行う第２制御により消費されるエネルギー量である。また、抑制可能量提示部は、エネルギー消費量および推定消費量に基づいたエネルギー抑制可能量を提示する。
【００３３】
本発明に係るエネルギー管理システムでは、把握された現在の運転状況に基づいて、エネルギー抑制を行わない制御により消費されるエネルギー量であるエネルギー消費量が算出される。また、各条件に応じたエネルギー抑制を行う場合に消費されるエネルギー量である推定消費量が算出される。エネルギー消費量と、推定消費量とに基づいたエネルギー抑制可能量が提示される。
【００３４】
これにより、運転状況に応じた、条件毎のエネルギー抑制可能量を提示することができる。
【００３５】
第１１発明に係るエネルギー管理システムは、第９発明に係るエネルギー管理システムであって、制御装置は、記憶部をさらに有する。記憶部は、各設備機器の、個々のエネルギー抑制可能量を記憶する。抑制可能量提示部は、条件に応じてエネルギー抑制を行う設備機器と、記憶部に記憶された個々のエネルギー抑制可能量とに基づいた、物件全体のエネルギー抑制可能量を提示する。
【００３６】
本発明に係るエネルギー管理システムでは、各設備機器の個々のエネルギー抑制可能量が記憶されている。また、条件に応じてエネルギー抑制を行う設備機器と、当該設備機器のエネルギー抑制可能量とに基づいた、物件全体のエネルギー抑制可能量が提示される。
【００３７】
これにより、運転状況に応じた、条件毎のエネルギー抑制可能量を提示することができる。
【００３８】
第１２発明に係るエネルギー管理システムは、第８発明から第１１発明のいずれかに係るエネルギー管理システムであって、運転状況把握部は、設備機器の稼働率、稼動している設備機器の種類、設備機器の稼働時間、設備機器の負荷率、および設備機器の運転スケジュールの少なくともいずれか一つを含む運転状況を把握する。
【００３９】
本発明に係るエネルギー管理システムでは、運転状況には、設備機器の稼働率、稼動している設備機器の種類、設備機器の稼働時間、設備機器の負荷率、および設備機器の運転スケジュールの少なくとも一つが含まれる。
【００４０】
これにより、設備機器の運転状況を考慮して、適切なエネルギー抑制可能量を提示することができる。
【００４１】
第１３発明に係るエネルギー管理システムは、第８発明に係るエネルギー管理システムであって、制御装置は、条件記憶領域と、快適性判定結果記憶領域とをさらに有する。条件記憶領域は、条件を記憶する。快適性判定結果記憶領域は、ユーザにより入力された快適性の判定結果を記憶する。条件記憶領域は、判定結果に基づいて、条件を更新する。
【００４２】
本発明に係るエネルギー管理システムでは、ユーザにより入力された快適性の判定結果が記憶される。判定結果に基づいて、エネルギー抑制可能量に関する条件が更新される。
【００４３】
これにより、ユーザにとっての快適性を、一層向上させることができる。
【００４４】
第１４発明に係るエネルギー管理システムは、エネルギー管理装置と、制御装置とを備えるエネルギー管理システムである。エネルギー管理装置は、複数物件の上位に位置し、各物件に設置された設備機器に供給されるエネルギーを管理する。制御装置は、エネルギー管理装置に接続され、各物件の設備機器を制御する。制御装置は、運転状況把握部と、抑制可能量提示部とを有する。運転状況把握部は、設備機器の運転状況を把握する。抑制可能量提示部は、運転状況に基づいて、設備機器のエネルギー抑制可能量であって、条件別の複数のエネルギー抑制可能量をエネルギー管理装置に提示する。さらに、条件は、設備機器のエネルギー抑制の継続時間に関する条件である。また、抑制可能量提示部は、エネルギー抑制の複数の継続時間と、複数の継続時間にそれぞれ対応して許容しうる複数のエネルギー抑制可能量とをエネルギー管理装置に提示する。
【００４５】
これにより、エネルギー抑制と、各物件における快適性の確保との双方を考慮することができる。また、影響を与える時間（継続時間）を考慮したエネルギー抑制可能量が提示されるため、ユーザの快適性の低下を抑制することができる。
【００４６】
第１５発明に係るエネルギー管理システムは、第１４発明に係るエネルギー管理システムであって、制御装置は、エネルギー消費量算出部と、推定消費量算出部をさらに有する。エネルギー消費量算出部は、運転状況把握部によって把握された現在の運転状況に基づいて、エネルギー消費量を算出する。エネルギー消費量は、エネルギー抑制を行わない第１制御により消費されるエネルギー量である。推定消費量算出部は、推定消費量を推定する。推定消費量は、条件に応じたエネルギー抑制を行う第２制御により消費されるエネルギー量である。また、抑制可能量提示部は、エネルギー消費量および推定消費量に基づいたエネルギー抑制可能量を提示する。
【００４７】
本発明に係るエネルギー管理システムでは、把握された現在の運転状況に基づいて、エネルギー抑制を行わない制御により消費されるエネルギー量であるエネルギー消費量が算出される。また、各条件に応じたエネルギー抑制を行う場合に消費されるエネルギー量である推定消費量が算出される。エネルギー消費量と、推定消費量とに基づいたエネルギー抑制可能量が提示される。
【００４８】
これにより、運転状況に応じた、条件毎のエネルギー抑制可能量を提示することができる。
【００４９】
第１６発明に係るエネルギー管理システムは、第１４発明に係るエネルギー管理システムであって、制御装置は、記憶部をさらに有する。記憶部は、各設備機器の、個々のエネルギー抑制可能量を記憶する。抑制可能量提示部は、条件に応じてエネルギー抑制を行う設備機器と、記憶部に記憶された個々のエネルギー抑制可能量とに基づいた、物件全体のエネルギー抑制可能量を提示する。
【００５０】
本発明に係るエネルギー管理システムでは、各設備機器の個々のエネルギー抑制可能量が記憶されている。また、条件に応じてエネルギー抑制を行う設備機器と、当該設備機器のエネルギー抑制可能量とに基づいた、物件全体のエネルギー抑制可能量が提示される。
【００５１】
これにより、運転状況に応じた、条件毎のエネルギー抑制可能量を提示することができる。
【００５２】
第１７発明に係るエネルギー管理システムは、第１４発明から第１６発明のいずれかに係るエネルギー管理システムであって、運転状況把握部は、設備機器の稼働率、稼動している設備機器の種類、設備機器の稼働時間、設備機器の負荷率、および設備機器の運転スケジュールの少なくともいずれか一つを含む運転状況を把握する。
【００５３】
本発明に係るエネルギー管理システムでは、運転状況には、設備機器の稼働率、稼動している設備機器の種類、設備機器の稼働時間、設備機器の負荷率、および設備機器の運転スケジュールの少なくとも一つが含まれる。
【００５４】
これにより、設備機器の運転状況を考慮して、適切なエネルギー抑制可能量を提示することができる。
【００５５】
第１８発明に係るエネルギー管理システムは、第１４発明または第１７発明のいずれかに係るエネルギー管理システムであって、設備機器は、空調機であり。また、運転状況把握部は、第１状態と第２状態とを把握する。第１状態は、空調機による空調状態が安定している状態である。第２状態は、空調状態が安定していない状態である。また、抑制可能量提示部は、空調状態に基づいて、条件別のエネルギー抑制可能量を提示する。
【００５６】
本発明に係るエネルギー管理システムでは、設備機器は空調機であり、運転状況把握部は、空調機による空調状態に基づいて、条件別のエネルギー抑制可能量を提示する。
【００５７】
これにより、空調状態に極端な影響を与えずに、適切なエネルギー抑制を行うことができる。
【００５８】
第１９発明に係るエネルギー管理システムは、第１４発明から第１８発明のいずれかに係るエネルギー管理システムであって、制御装置は、提示制御部と、制御指令生成部とをさらに有する。提示制御部は、抑制可能量提示部によるエネルギー抑制可能量の提示を制御する。制御指令生成部は、制御指令を生成する。制御指令は、提示したエネルギー抑制可能量のうち、エネルギー管理装置によって選択されたいずれかのエネルギー抑制可能量を実現するための指令である。また、提示制御部は、第１処理部と第２処理部とを含む。第１処理部は、第１の時間は抑制可能量提示部によるエネルギー抑制可能量の提示を制限する。第１の時間は、制御指令が生成された後の所定時間である。第２処理部は、抑制可能量提示部によるエネルギー抑制可能量の提示を許容する。第２の時間は、第１の時間とは異なる時間である。
【００５９】
本発明に係るエネルギー管理システムでは、条件別のエネルギー抑制可能量が提示される。また、エネルギー管理装置によって選択されたエネルギー抑制可能量を実現するための制御指令が生成される。制御指令が生成された後の所定時間は、エネルギー抑制可能量の提示が制限され、それ以外の時間はエネルギー抑制可能量が提示される。
【００６０】
これにより、エネルギー抑制が頻繁に実施されることを制限することができる。
【００６１】
第２０発明に係るエネルギー管理システムは、第１９発明に係るエネルギー管理システムであって、制御装置は、条件記憶領域と、快適性判定結果記憶領域とをさらに有する。条件記憶領域は、条件を記憶する。快適性判定結果記憶領域は、ユーザにより入力された快適性の判定結果を記憶する。条件記憶領域は、判定結果に基づいて、条件を更新する。
【００６２】
本発明に係るエネルギー管理システムでは、ユーザにより入力された快適性の判定結果が記憶される。判定結果に基づいて、エネルギー抑制可能量に関する条件が更新される。
【００６３】
これにより、ユーザにとっての快適性を、一層向上させることができる。
【発明の効果】
【００６４】
本発明に係るエネルギー管理システムでは、エネルギー抑制と、各物件における快適性の確保との双方を考慮することができる。
【００６５】
本発明に係るエネルギー管理システムでは、影響を与える時間を考慮したエネルギー抑制可能量が提示されるため、ユーザの快適性の低下を抑制することができる。
【００６６】
本発明に係るエネルギー管理システムでは、運転状況に応じた、条件毎のエネルギー抑制可能量を提示することができる。
【００６７】
本発明に係るエネルギー管理システムでは、運転状況に応じた、条件毎のエネルギー抑制可能量を提示することができる。
【００６８】
本発明に係るエネルギー管理システムでは、設備機器の運転状況を考慮して、適切なエネルギー抑制可能量を提示することができる。
【００６９】
本発明に係るエネルギー管理システムでは、空調状態に極端な影響を与えずに、適切なエネルギー抑制を行うことができる。
【００７０】
本発明に係るエネルギー管理システムでは、エネルギー抑制が頻繁に実施されることを制限することができる。
【００７１】
本発明に係るエネルギー管理システムでは、ユーザにとっての快適性を、一層向上させることができる。
【図面の簡単な説明】
【００７２】
【図１】第１実施形態に係るエネルギー管理システムの全体構成を示す図である。
【図２】第１実施形態に係る上位コントローラの概略構成を示す図である。
【図３】第１実施形態に係る下位コントローラの概略構成を示す図である。
【図４】第１実施形態で用いた条件の例を示す図である。
【図５】第１実施形態で下位コントローラから上位コントローラに提示されるエネルギー抑制可能量の例を示す図である。
【図６Ａ】第１〜第４実施形態に係る下位コントローラにおける処理の流れを示す図である。
【図６Ｂ】第１実施形態の変形例（Ｃ）に係る下位コントローラの概略構成を示す図である。
【図７】第２実施形態に係るエネルギー管理システムの全体構成を示す図である。
【図８】第２実施形態に係る下位コントローラの概略構成を示す図である。
【図９】第２実施形態で用いた条件の例を示す図である。
【図１０】第２実施形態に係る機器情報記憶領域に記憶されている情報の例を示す図である。
【図１１】空調状態の例を示す図である。
【図１２】第２実施形態で下位コントローラから上位コントローラに提示されるエネルギー抑制可能量の例を示す図である。
【図１３】第３実施形態に係るエネルギー管理システムの全体構成を示す図である。
【図１４】第３実施形態に係る下位コントローラの概略構成を示す図である。
【図１５】運用スケジュールの例を示す図である。
【図１６】低下許容能力で制御した場合の推定消費量と、エネルギー抑制可能量との例を示す図である。
【図１７】第３実施形態で下位コントローラから上位コントローラに提示されるエネルギー抑制可能量の例を示す図である。
【図１８】第４実施形態に係るエネルギー管理システムの全体構成を示す図である。
【図１９】第４実施形態に係る下位コントローラの概略構成を示す図である。
【図２０】第４実施形態に係る機器情報記憶領域に記憶されている情報の例を示す図である。
【図２１】第４実施形態で下位コントローラから上位コントローラに提示されるエネルギー抑制可能量の例を示す図である。
【発明を実施するための形態】
【００７３】
＜第１実施形態＞
以下、図面を参照して、第１実施形態に係るエネルギー管理システム１００について説明する。
【００７４】
（１）エネルギー管理システム
図１に、本実施形態に係るエネルギー管理システム１００を示す。エネルギー管理システムでは、電力会社１から物件Ａ，Ｂに提供されるエネルギーが管理される。図１に示すように、電力会社１は、上位コントローラ（エネルギー管理装置に相当）１０を有し、物件Ａ，Ｂは、下位コントローラ（制御装置に相当）３０，３０を有する。物件Ａ，Ｂは、オフィスビル、テナントビル、および工場等の複数の設備機器を設置する建物である。物件Ａ，Ｂは、さらに、複数の設備機器としての空調機４０，４０，・・・と、空調機４０，４０，・・・に電力を供給する電源６と、電源６から空調機４０，４０，・・・に供給されるエネルギー量を計測する電力メーター７とを有する。各物件Ａ，Ｂにおいて、空調機４０，４０，・・・と、下位コントローラ３０とは、専用の制御線８０ｂを介して接続されている。また、上位コントローラ１０と、下位コントローラ３０，３０とは、インターネット８０ａを介して接続されている。
【００７５】
電力会社１は、エネルギーの需要が高まる時期／時間のエネルギー消費量を抑えるために、物件Ａ，Ｂに対して、所定時間間隔（本実施形態では、１５分間隔）で、エネルギー抑制可能量提示要求を送信する。エネルギー抑制可能量提示要求は、物件Ａ，Ｂに対してエネルギー抑制を強制するものではなく、各物件Ａ，Ｂにおいてエネルギー抑制ができる場合に、エネルギー抑制可能量の提示を要求するものである。本実施形態に係るエネルギー管理システム１００では、後述する下位コントローラ３０，３０が、電力会社１に設置された上位コントローラ１０に対して、各物件Ａ，Ｂにおいて抑制可能なエネルギー量（エネルギー抑制可能量）を複数提示する。なお、物件Ａ，Ｂは、電力会社１からのエネルギー抑制可能量提示要求に対して、エネルギー抑制が可能な場合は、複数のエネルギー抑制可能量を提示し、エネルギー抑制が不可能な場合には、エネルギーが抑制できない旨の回答（零回答もしくはエネルギー抑制可能量を０ｋＷとする回答）を提示する。
【００７６】
以下、エネルギー管理システム１００に含まれる、上位コントローラ１０および下位コントローラ３０，３０について説明する。なお、図１では、電力会社１がエネルギーを管理する物件として、物件Ａ，Ｂの二つの物件が記載されているが、物件の数は二つに限られるものではない。
【００７７】
（２）上位コントローラ
上位コントローラ１０は、上述したように、電力会社１に設置され、インターネット８０ａを介して、物件Ａに設置されている下位コントローラ３０および物件Ｂに設置されている下位コントローラ３０に接続されている。
【００７８】
上位コントローラ１０は、図２に示すように、主として、通信部１１、表示部１２、入力部１３、記憶部１４、および制御部１５を備える。
【００７９】
〔通信部〕
通信部１１は、上位コントローラ１０をインターネット８０ａに接続可能にするネットワークインターフェースである。
【００８０】
〔表示部〕
表示部１２は、主としてディスプレイから構成されている。表示部１２には、後述する記憶部１４に記憶される各種情報を示す管理画面が表示される。
【００８１】
〔入力部〕
入力部１３は、主として操作ボタン、キーボード、およびマウス等から構成されている。
【００８２】
〔記憶部〕
記憶部１４は、主として、ハードディスクから構成されている。記憶部１４は、後述する制御部１５が読み出して実行可能なプログラムが記憶されている。また、記憶部１４は、主として、管理物件記憶領域１４ａ、物件情報記憶領域１４ｂ、および提示内容記憶領域１４ｃを有する。
【００８３】
ａ）管理物件記憶領域
管理物件記憶領域１４ａには、電力会社１の管理対象の物件Ａ，Ｂが記憶されている。具体的には、物件Ａ，Ｂの名称、物件Ａ，Ｂの規模、および必要最小エネルギー等に関する情報が記憶されている。
【００８４】
ｂ）物件情報記憶領域
物件情報記憶領域１４ｂには、後述する下位コントローラ３０，３０から送られたエネルギー消費量に関する情報が記憶されている。エネルギー消費量に関する情報は、各物件Ａ，Ｂで所定期間に消費されたエネルギー量（エネルギー消費量）に関する情報である。
【００８５】
ｃ）提示内容記憶領域
提示内容記憶領域１４ｃには、下位コントローラ３０，３０によって提示された複数のエネルギー抑制可能量に関する情報が記憶されている。
【００８６】
〔制御部〕
制御部１５は、主として、ＣＰＵ、ＲＯＭおよびＲＡＭから構成されている。制御部１５は、記憶部１４に記憶されているプログラムを読み出して実行する。また、制御部１５は、主として、提示要求送信部１５ａおよび選択指令送信部１５ｂを有する。
【００８７】
ａ）提示要求送信部
提示要求送信部１５ａは、所定時間間隔（本実施形態では、１５分間隔）で、物件Ａ，Ｂに対してエネルギー抑制可能量提示要求を送信する。
【００８８】
ｂ）選択指令送信部
選択指令送信部１５ｂは、各物件Ａ，Ｂから送られたエネルギー抑制可能量に関する複数の回答に基づいて、各物件Ａ，Ｂに要求するエネルギー抑制量をそれぞれ決定し、決定した内容に応じた指令（選択指令）を各物件Ａ，Ｂに送信する。
【００８９】
（３）下位コントローラ
下位コントローラ３０，３０は、上述したように、各物件Ａ，Ｂに一台設置されている。また、下位コントローラ３０，３０は、設置された物件に設置された空調機４０，４０，・・・を制御する。以下、物件Ａに設置された下位コントローラ３０について説明するが、物件Ｂに設置された下位コントローラ３０についても同様の構成であるものとする。
【００９０】
下位コントローラ３０は、図３に示すように、主として、通信部３１、表示部３２、入力部３３、タイマー部３４、記憶部３５、および制御部３６から構成されている。
【００９１】
〔通信部〕
通信部３１は、コントローラ３０をインターネット８０ａおよび専用の制御線８０ｂに接続可能にするインターフェースである。
【００９２】
〔表示部〕
表示部３２は、主として、ディスプレイから構成されている。表示部３２には、空調機４０，４０，・・・の運転状態（ＯＮ／ＯＦＦ、運転モード（冷房モード／暖房モード）、風向き、風量、および吸込み温度等）および設定温度を示す画面が表示される。
【００９３】
〔入力部〕
入力部３３は、主として、操作ボタンおよび上記ディスプレイを覆うタッチパネルから構成されている。
【００９４】
〔タイマー部〕
タイマー部３４は、後述する制御指令送信部３６ｋによって、空調機４０，４０，・・・に対する制御指令が送信された後の時間を計測する。
【００９５】
〔記憶部〕
記憶部３５は、主として、ハードディスクから構成されている。記憶部３５には、後述する制御部３６が読み出して実行可能なプログラムが記憶されている。また、記憶部３５は、主として、運転状況記憶領域３５ａ、条件記憶領域３５ｂ、制御情報記憶領域３５ｃ、およびメーター値記憶領域３５ｄを有する。
【００９６】
ａ）運転状況記憶領域
運転状況記憶領域３５ａには、後述する運転状況把握部３６ａによって把握された空調機４０，４０，・・・の運転状況が記憶されている。運転状況には、空調機４０，４０，・・・の運転／停止、設定温度、吸込み温度、稼働時間、稼働率、および稼動時の運転能力（％）等が含まれる。ここで運転能力とは、空調機４０，４０，・・・の定格能力に対して、何％の能力で動作させるかを意味する。
【００９７】
ｂ）条件記憶領域
条件記憶領域３５ｂには、上位コントローラ１０に対して複数のエネルギー抑制可能量を提示するための条件が記憶されている。複数のエネルギー抑制可能量を提示するための条件とは、エネルギー抑制制御を実行する時間（エネルギー抑制制御の継続時間）と、エネルギー抑制制御時の運転能力（下限能力）（％）との前提である（第１の条件）。エネルギー抑制制御とは、上位コントローラ１０に提示するエネルギー抑制可能量を実現するための制御である。条件記憶領域３５ｂでは、エネルギー抑制制御の継続時間（分）と、当該継続時間の間エネルギー抑制制御を実施する場合に許容しうる下限能力（％）とが関連付けて記憶されている。図４は、条件記憶領域３５ｂに記憶された条件（条件Ａ〜条件Ｃ）の例を示す。具体的に、条件Ａでは、継続時間が６０分のときの下限能力を８０％とする。条件Ｂでは、継続時間が３０分のとき下限能力を６０％とする。条件Ｃでは、継続時間が１５分のとき下限能力を４０％とする。
【００９８】
ｃ）制御情報記憶領域
制御情報記憶領域３５ｃには、後述する制御指令送信部３６ｋによって空調機４０，４０，・・・に送信された制御指令の内容である。詳細には、後述する抑制可能量提示部３６ｇによって提示された複数のエネルギー抑制可能量のうち、上位コントローラ１０によって選択されたエネルギー抑制可能量に関する情報が記憶されている。制御指令の内容には、実行させる運転能力、エネルギー抑制制御開始時刻、およびエネルギー抑制制御終了時刻等が含まれる。
【００９９】
ｄ）メーター値記憶領域
メーター値記憶領域３５ｄには、後述するメーター値取得部によって取得される値が記憶される。
【０１００】
〔制御部〕
制御部３６は、主として、ＣＰＵ、ＲＯＭおよびＲＡＭから構成されており、上述の記憶部３５に記憶されているプログラムを読み出して実行する。
【０１０１】
制御部３６は、図３に示すように、主として、運転状況把握部３６ａ、提示要求受付部３６ｂ、メーター値取得部３６ｃ、エネルギー消費量算出部３６ｄ、推定量算出部３６ｅ、抑制可能量判定部３６ｆ、抑制可能量提示部３６ｇ、提示制御部３６ｈ、選択指令受付部３６ｉ、制御指令生成部３６ｊ、および制御指令送信部３６ｋとして機能する。
【０１０２】
ａ）運転状況把握部
運転状況把握部３６ａは、所定時間間隔（本実施形態では、５分間隔）で、空調機４０，４０，・・・の運転状況を把握する。運転状況には、上述したように、空調機の運転／停止、設定温度、吸込み温度、稼働時間、稼働率、および稼動時の運転能力（％）等が含まれる。運転状況把握部３６ａによって把握された、空調機４０，４０，・・・の運転状況は、上述の運転状況記憶領域３５ａに記憶される。
【０１０３】
ｂ）提示要求受付部
提示要求受付部３６ｂは、上位コントローラ１０から送られるエネルギー抑制可能量提示要求を受け付ける。
【０１０４】
ｃ）メーター値取得部
メーター値取得部３６ｃは、電力メーター７によって計測された値（エネルギー量に関するデータ）が取得される。メーター値取得部３６ｃによって取得された値は、上述のメーター値記憶領域３５ｄに記憶される。
【０１０５】
ｄ）エネルギー消費量算出部
エネルギー消費量算出部３６ｄは、上述の運転状況把握部３６ａによって把握された現在の運転状況と、メーター値記憶領域に記憶されている値とに基づいて、現在の制御（第１制御）を所定時間継続した場合の空調機４０，４０，・・・のエネルギー消費量を算出する。ここで、所定時間とは、上述の条件記憶領域３５ｂに記憶された継続時間（例えば、６０分、３０分、１５分）を指す。すなわち、現在の設定を変更せずに、空調機４０，４０，・・・の制御を６０分間行った場合のエネルギー消費量、現在の設定を変更せずに空調機４０，４０，・・・の制御を３０分間行った場合のエネルギー消費量、および現在の設定を変更せずに空調機４０，４０，・・・の制御を１５分間行った場合のエネルギー消費量がそれぞれ算出される。
【０１０６】
ｅ）推定量算出部
推定量算出部３６ｅは、各条件に応じてエネルギー抑制制御（第２制御）を行った場合に消費されるエネルギー量（推定消費量）を算出する。具体的には、条件記憶領域３５ｂに記憶された継続時間の間、所定の下限能力で空調機４０，４０，・・・を制御した場合に消費されるエネルギー量を算出する（図４参照）。より具体的に、推定量算出部３６ｅは、６０分間、下限能力８０％で第２制御を継続させた場合に消費されるエネルギー量（推定消費量）を算出する。また、推定量算出部３６ｅは、３０分間、下限能力６０％で第２制御を継続させた場合に消費されるエネルギー量（推定消費量）を算出する。さらに、推定量算出部３６ｅは、１５分間、下限能力４０％で第２制御を継続させた場合に消費されるエネルギー量（推定消費量）を算出する。
【０１０７】
ｆ）抑制可能量判定部
抑制可能量判定部３６ｆは、エネルギー消費量算出部３６ｄによって算出されたエネルギー消費量と、推定量算出部３６ｅによって算出された推定消費量とに基づいて、エネルギー抑制可能量を判定する。具体的には、現在の設定によるエネルギー消費量と、現在の設定を条件に応じて変更した場合のエネルギー消費量（推定消費量）との差を、エネルギー抑制可能量として判定する。より具体的には、式：抑制可能量の総計（ｋＷ）＝Σ（エネルギー消費量−推定消費量）により求められる。推定消費量は、定格電力（ｋＷ）と下限能力（％）との積により求められる。
【０１０８】
抑制可能量判定部３６ｆは、条件記憶領域３５ｂに記憶されている条件別のエネルギー抑制可能量をそれぞれ判定する。すなわち、本実施形態では、条件Ａ〜条件Ｃのそれぞれに対応した三種類のエネルギー抑制可能量が判定される。具体的には、図５に示すように、エネルギー抑制制御の継続時間と、当該継続時間で実現しうる抑制可能量（ｋＷ）とを判定する。
【０１０９】
ｇ）抑制可能量提示部
抑制可能量提示部３６ｇは、抑制可能量判定部３６ｆによって判定された、条件別の複数のエネルギー抑制可能量を上位コントローラ１０に提示する。抑制可能量提示部３６ｇによって提示された複数のエネルギー抑制可能量は、通信部３１を介して、上位コントローラ１０に送られる。
【０１１０】
なお、抑制可能量提示部３６ｇは、後述する提示制御部３６ｈの制御に応じて、エネルギー抑制可能量の提示を行う。詳細には、抑制可能量提示部３６ｇは、提示制御部３６ｈによってエネルギー抑制可能量の提示が許容された場合、上位コントローラ１０に対してエネルギー抑制可能量を提示する。また、抑制可能量提示部３６ｇは、提示制御部３６ｈによって、エネルギー抑制可能量の提示が制限された場合、上位コントローラ１０に対して、零回答もしくはエネルギー抑制可能量を０ｋＷとする回答を提示する。
【０１１１】
ｈ）提示制御部
提示制御部３６ｈは、上述の抑制可能量提示部３６ｇによるエネルギー抑制可能量の提示を制御する。詳細には、提示制御部３６ｈは、第１処理部３６ｈａと第２処理部３６ｈｂとを有する。  第１処理部３６ｈａは、抑制可能量提示部３６ｇによるエネルギー抑制可能量の提示を制限する。具体的には、第１処理部３６ｈａは、後述する制御指令生成部３６ｊによって、エネルギー抑制制御に係る制御指令が生成された後の所定時間（第１の時間に相当）、抑制可能量提示部３６ｇによるエネルギー抑制可能量の提示を制限する。ここで、エネルギー抑制制御に係る制御指令が生成された後の所定時間とは、エネルギー抑制制御を継続させる時間（継続時間）である。第１処理部３６ｈａがエネルギー抑制可能量の提示を制限することで、上述の抑制可能量提示部３６ｇは、上位コントローラ１０に対して、零回答もしくはエネルギー抑制可能量を０ｋＷとする回答を提示する。一方、第２処理部３６ｈｂは、抑制可能量提示部３６ｇによるエネルギー抑制可能量の提示を許容する。具体的には、エネルギー抑制制御を実行していない時間（第２の時間に相当）は、第２処理部３６ｈｂは、抑制可能量提示部３６ｇによるエネルギー抑制可能量の提示を許容する。
【０１１２】
ｉ）選択指令受付部
選択指令受付部３６ｉは、上位コントローラ１０から送られる選択指令を受け付ける。選択指令とは、抑制可能量提示部３６ｇによって提示された複数のエネルギー抑制可能量のうち、上位コントローラ１０によって選択されたエネルギー抑制可能量を示す信号である。
【０１１３】
ｊ）制御指令生成部
制御指令生成部３６ｊは、選択指令受付部３６ｉによって受け付けられた選択指令に基づいて、エネルギー抑制可能量を実現する制御指令を生成する。
【０１１４】
ｋ）制御指令送信部
制御指令送信部３６ｋは、制御指令生成部３６ｊによって生成された制御指令を、空調機４０，４０，・・・に送信する。これにより、空調機４０，４０，・・・は、当該制御指令に基づいた制御を実行する。
【０１１５】
（４）処理の流れ
次に、図６Ａを参照して、下位コントローラ３０における処理の流れを説明する。
【０１１６】
ステップＳ１０１では、提示要求受付部３６ｂがエネルギー抑制可能量提示要求を受け付けたかどうかが判定される。ステップＳ１０１において、エネルギー抑制可能量提示要求が受け付けられた場合には、ステップＳ１０２に進み、エネルギー抑制可能量提示要求が受け付けられない場合には、受け付けるまで待機する。
【０１１７】
次にステップＳ１０２において、タイマー部３４により計測された時間が、所定時間を経過したか否かが判定される。ここで所定時間とは、上述したように、エネルギー抑制制御の継続時間である。ステップＳ１０２において、タイマー部により計測された時間が、所定時間を経過している場合には、ステップＳ１０３に進み、所定時間を経過していない場合には、ステップＳ１０９に進む。
【０１１８】
ステップＳ１０３では、抑制可能量判定部３６ｆによって条件別のエネルギー抑制可能量が判定され、ステップＳ１０４に進む。ステップＳ１０４では、抑制可能量提示部３６ｇによって、複数のエネルギー抑制可能量が上位コントローラに提示される。
【０１１９】
その後、ステップＳ１０５に進み、上位コントローラ１０からの選択指令を受け付けたか否かが判定される。ここで、選択指令とは、上述したように、抑制可能量提示部３６ｇによって提示された複数のエネルギー抑制可能量のうち、上位コントローラ１０が選択した一のエネルギー抑制可能量を示す信号である。ステップＳ１０５において、選択指令が受け付けられた場合には、ステップＳ１０６に進む。ステップＳ１０５において、選択指令が受け付けられなかった場合には、選択指令を受け付けるまで待機する。
【０１２０】
次に、ステップＳ１０６において、選択指令に基づいた制御指令が生成され、その後、ステップＳ１０７に進み、当該制御指令が空調機４０，４０，・・・に送信される。さらに、ステップＳ１０８において、タイマー部３４による計測が開始され、ステップＳ１０１に戻る。
【０１２１】
一方、ステップＳ１０２において、タイマー部３４により計測される時間が、所定時間を経過していなかった場合には、ステップＳ１０９において、抑制可能量提示部３６ｇによるエネルギー抑制可能量の提示が制限される。すなわち、抑制可能量提示部３６ｇは、上位コントローラ１０に対して、零回答もしくはエネルギー抑制可能量を０ｋＷとする回答を行う。その後、ステップＳ１０１に戻る。
【０１２２】
＜特徴＞
（１）
本実施形態に係るエネルギー管理システム１００では、電力会社１から物件Ａ，Ｂに供給されるエネルギーが管理されている。また、電力会社１は、季節や時間帯に応じて増加するエネルギー量を抑制するために、定期的に多数の物件に対してエネルギー抑制可能量の提示を求めている。従来、各物件から電力会社に対してエネルギー抑制可能量を提示した場合であっても、全体のエネルギー抑制量としては妥当でない場合があった。このとき、電力会社から各物件に対して、全体として妥当なエネルギー抑制量を実現させるような制御指令が送信されると、各物件において快適性が十分に確保されない。一方、各物件の要望を優先させると、電力会社では十分にエネルギー抑制量を確保することができない。
【０１２３】
本実施形態に係るエネルギー管理システム１００では、各物件Ａ，Ｂに設置された下位コントローラ３０，３０によって、条件別の複数のエネルギー抑制可能量が提示される。ここで用いる条件は、物件において快適性を十分に確保できるように、継続時間と、下限能力とを組み合わせたものである。当該条件は、具体的には、下限能力が高い場合（すなわち、エネルギー抑制の程度が小さい場合）には、エネルギー抑制制御を実行する時間を長くし、下限能力が低い場合（すなわち、エネルギー抑制の程度が大きい場合）には、エネルギー抑制制御を短くするように組み合わせてある。下位コントローラ３０，３０は、当該条件別のエネルギー抑制可能量を上位コントローラ１０に提示するため、上位コントローラ１０でも全体のエネルギー抑制量として妥当なものを各物件について選択することができる。これにより、エネルギー消費の抑制および各物件における快適性の確保の双方を考慮することができる。
【０１２４】
（２）
本実施形態では、現在の運転状況を継続した場合のエネルギー消費量と、現在の運転状況を条件に応じて変更した場合の推定消費量とに基づいて、複数のエネルギー抑制可能量を提示する。したがって、現在の運転状況に照らして無理のない範囲で、エネルギー抑制を行うことができる。
【０１２５】
（３）
また、本実施形態に係るエネルギー管理システム１００では、抑制可能量提示部３６ｇによって上位コントローラ１０に複数のエネルギー抑制可能量が提示されると、上位コントローラ１０が複数のエネルギー抑制可能量から一のエネルギー抑制可能量を選択する。その後、選択指令受付部３６ｉが上位コントローラ１０からの選択指令を受け付けると、当該選択指令で選択されたエネルギー抑制可能量を実現させる制御指令が空調機４０，４０，・・・に向けて送信される。また、空調機４０，４０，・・・は、下位コントローラ３０，３０により生成された制御指令に基づいて、上位コントローラ１０によって選択されたエネルギー抑制可能量を実現するエネルギー抑制制御を実行する。
【０１２６】
ここで、複数のエネルギー抑制可能量は、継続時間と下限能力との組み合わせからなる条件に基づいて得られる値である。すなわち、空調機４０，４０，・・・は、選択された条件（継続時間および下限能力）に基づいて制御されることになる。一方、上位コントローラ１０からは、定期的にエネルギー抑制可能量提示要求が送られてくる。当該エネルギー抑制可能量提示要求が送られるたびに、抑制可能量提示部３６ｇによるエネルギー抑制可能量の提示が行われることとすると、空調機４０，４０，・・・の設定が頻繁に変更されることにより、快適性確保の観点から好ましくない。しかし、本実施形態では、抑制可能量提示部３６ｇによるエネルギー抑制可能量の提示が、提示制御部３６ｈによって制限される。したがって、下位コントローラ３０，３０が、エネルギー抑制可能量を実現するための制御（エネルギー抑制制御）を空調機４０，４０，・・・に対して行っている間は、エネルギー抑制可能量提示要求に対して零回答もしくはエネルギー抑制可能量を０ｋＷとする回答を行い、さらなる変更を行わないように設計されている。これにより、物件における快適性を確保することができる。
【０１２７】
＜変形例＞
（Ａ）
本実施形態に係るエネルギー管理システム１００は、電力会社１に設けられた上位コントローラ１０によって、物件Ａ，Ｂのエネルギー量を管理する場合を例に挙げて説明したが、エネルギー管理システム１００は、親会社に設置された上位コントローラ１０によって、子会社のエネルギー量を管理する場合に用いてもよい。
【０１２８】
（Ｂ）
本実施形態で説明したフローでは（図６Ａ参照）、タイマー部３４による時間の計測が、ステップＳ１０８で行われたが、タイマー部３４による時間の計測は、その他のタイミング、例えば、ステップＳ１０５において選択指令が受け付けられたと判断された後、またはステップＳ１０６において、制御指令が生成された後のタイミングに開始されてもよい。すなわち、下位コントローラ３０，３０が、上位コントローラ１０から送られる選択指令に応じてエネルギー抑制制御を実行している間は、新たなエネルギー抑制可能量の提示をする必要がないよう、または新たな選択指令を受け付けないように制御されるように設計されていればよい。これにより、下位コントローラ３０，３０による空調機４０，４０，・・・の制御を安定させることができる。
【０１２９】
（Ｃ）
本実施形態に係る下位コントローラ３０，３０は、図６Ｂに示すように、記憶部３５に、快適性判定結果記憶領域３５ｅをさらに有していてもよい。快適性判定結果記憶領域３５ｅは、ユーザにより入力された快適性の判定結果を記憶する。具体的には、エネルギー抑制制御が実行されることにより、ユーザが不快感を覚えた際に、当該不快感を覚えた旨の判定結果を記憶させる。
【０１３０】
また、条件記憶領域３５ｂは、快適性判定結果記憶領域３５ｅに記憶された判定結果に基づいて、条件を更新する。具体的には、下限能力に対応するエネルギー抑制制御の継続時間を変動したり、継続時間に対応する下限能力を変動させたりすることにより、条件を更新する。より具体的には、下限能力に対応するエネルギー抑制制御の継続時間を短縮させることにより、または、継続時間に対応する下限能力を増加させることにより、条件を更新する。
【０１３１】
これにより、下位コントローラ３０，３０は、ユーザがエネルギー抑制制御により不快を感じるか否かに基づいて、最適な条件を学習していく。
【０１３２】
（Ｄ）
本実施形態で用いた条件の下限能力は、空調機毎に設定してもよい。すなわち、空調機の種類や、空調機の設置場所に応じて、異なる下限能力を設定してもよい。これにより、より適切なエネルギー管理を行うことができる。
【０１３３】
（Ｅ）
本実施形態では、条件記憶領域３５ｂに、エネルギー抑制制御の継続時間とエネルギー抑制制御の下限能力との前提を記憶させ、抑制可能量判定部３６ｆは、エネルギー抑制制御を実行した場合の推定消費量と、現在の制御を継続した場合のエネルギー消費量との差を用いてエネルギー抑制可能量を判定したが、条件記憶領域３５ｂに、エネルギー抑制制御の継続時間と所定時間における各設備機器の個々のエネルギー抑制可能量とを記憶させておき、抑制可能量判定部３６ｆは、各設備機器の個々のエネルギー抑制可能量に基づいて、条件別の、物件全体のエネルギー抑制可能量（個々のエネルギー抑制可能量の合計値）を判定してもよい。
【０１３４】
＜第２実施形態＞
次に、第２実施形態に係るエネルギー管理システム２００について説明する（図７参照）。第２実施形態に係るエネルギー管理システム２００は、下位コントローラ１３０，１３０の構成を除き、第１実施形態に係るエネルギー管理システム１００と同様である。したがって、ここでは、下位コントローラ１３０の構成について説明する。
【０１３５】
下位コントローラ１３０は、図８に示すように、主として、通信部２３１、表示部２３２、入力部２３３、タイマー部２３４、記憶部２３５、および制御部２３６から構成されている。ここで、通信部２３１、表示部２３２、入力部２３３、およびタイマー部２３４は、第１実施形態に係る通信部３１、表示部３２、入力部３３、およびタイマー部３４と同様の構成である。したがって、以下、記憶部２３５および制御部２３６について説明する。
【０１３６】
〔記憶部〕
記憶部２３５は、主としてハードディスクから構成されている。記憶部２３５には、後述する制御部２３６が読み出して実行可能なプログラムが記憶されている。また、記憶部２３５には、吸込み温度と設定温度との乖離の程度（安定度）に応じた安定予測情報が記憶されている。安定予測情報とは、空調状態を安定させるために必要な時間に関する予測情報である。具体的に、空調状態を安定させるために必要な時間とは、吸込み温度が設定温度に到達していない場合に、吸込み温度を設定温度に到達させるまでに必要とする時間である。
【０１３７】
また、記憶部２３５は、主として、運転状況記憶領域２３５ａ、条件記憶領域２３５ｂ、制御情報記憶領域２３５ｃ、メーター値記憶領域２３５ｄ、および機器情報記憶領域２３５ｅを有する。なお、制御情報記憶領域２３５ｃおよびメーター値記憶領域２３５ｄについては、第１実施形態に係る制御情報記憶領域３５ｃおよびメーター値記憶領域３５ｄと同様である。したがって、以下、運転状況記憶領域２３５ａ、条件記憶領域２３５ｂ、および機器情報記憶領域２３５ｅについて説明する。
【０１３８】
ａ）運転状況記憶領域
運転状況記憶領域２３５ａには、後述する運転状況把握部２３６ａによって取得された空調機４０，４０，・・・の運転状況が記憶されている。運転状況には、空調機４０，４０，・・・の運転／停止、設定温度、吸込み温度、稼働時間、稼働率、および稼動時の運転能力（％）等が含まれる。
【０１３９】
また、運転状況記憶領域２３５ａには、後述する運転状況把握部２３６ａによって把握される空調状態（安定度）が記憶される。安定度は、空調機の吸込み温度が設定温度に達しているかどうかによって決定される。具体的に、安定度１００％は、吸込み温度が設定温度に達している状態である。
【０１４０】
ｂ）条件記憶領域
条件記憶領域２３５ｂには、抑制可能量提示部２３６ｇによって複数のエネルギー抑制可能量を提示するための条件が記憶されている。複数のエネルギー抑制可能量を提示するための条件とは、空調状態（安定度）とエネルギー抑制制御の開始時刻（応答時刻）との前提である（第２の条件）。具体的には、所定の安定度と、当該所定の安定度に対してエネルギー抑制制御が可能であるタイミングとが関連付けて記憶されている。所定の安定度に関連付けられる、エネルギー抑制制御が可能なタイミングは、上述の安定予測情報（すなわち、吸込み温度が設定温度に到達するまでに必要な時間）に応じて決定される。図９に、条件記憶領域２３５ｂに記憶された条件（条件Ａ〜条件Ｃ）の例を示す。具体的に、条件Ａでは、安定度が１００％のとき、５分後にエネルギー抑制制御を開始することを前提とする。条件Ｂでは、安定度が７０％のとき、１５分後にエネルギー抑制制御を開始することを前提とする。条件Ｃでは、安定度が５０％のとき、３０分後にエネルギー抑制制御を開始することを前提とする。
【０１４１】
ｃ）機器情報記憶領域
機器情報記憶領域２３５ｅには、所定時間（例えば１分間）における各空調機４０，４０，・・・のエネルギー消費量を予め記憶させておく。例えば、図１０に示すように、空調機の種類に応じたエネルギー消費量を予め記憶させておく。ここでは、空調機４０，４０，・・・に空調機１，２，３が含まれるものとし、空調機１，２，３のエネルギー消費量を、それぞれ２５ｋＷ、５０ｋＷ、５０ｋＷとしている。
【０１４２】
〔制御部〕
制御部２３６は、主として、ＣＰＵ、ＲＯＭおよびＲＡＭから構成されており、上述の記憶部２３５に記憶されているプログラムを読み出して実行する。
【０１４３】
制御部２３６は、図８に示すように、主として、運転状況把握部２３６ａ、提示要求受付部２３６ｂ、メーター値取得部２３６ｃ、エネルギー消費量算出部２３６ｄ、推定量算出部２３６ｅ、抑制可能量判定部２３６ｆ、抑制可能量提示部２３６ｇ、提示制御部２３６ｈ、選択指令受付部２３６ｉ、制御指令生成部２３６ｊ、および制御指令送信部２３６ｋとして機能する。なお、提示要求受付部２３６ｂ、メーター値取得部２３６ｃ、抑制可能量提示部２３６ｇ、提示制御部２３６ｈ、選択指令受付部２３６ｉ、制御指令生成部２３６ｊ、および制御指令送信部２３６ｋは、第１実施形態に係る提示要求受付部３６ｂ、メーター値取得部３６ｃ、抑制可能量提示部３６ｇ、提示制御部３６ｈ、選択指令受付部３６ｉ、制御指令生成部３６ｊ、および制御指令送信部３６ｋと同様である。したがって、ここでは、運転状況把握部２３６ａ、エネルギー消費量算出部２３６ｄ、推定量算出部２３６ｅ、および抑制可能量判定部２３６ｆについて説明する。
【０１４４】
ａ）運転状況把握部
運転状況把握部２３６ａは、所定時間間隔（本実施形態では、５分間隔）で、空調機４０，４０，・・・の運転状況を把握する。運転状況とは、上述したように、空調機の運転／停止、稼働時間、稼働率、および稼動時の運転能力（％）等が含まれる。運転状況把握部２３６ａによって把握された、空調機４０，４０，・・・の運転状況は、上述の運転状況記憶領域２３５ａに記憶される。
【０１４５】
また、運転状況把握部２３６ａは、設定温度と吸込み温度とに基づいて、空調状態が安定している状態である第１状態と、空調状態が安定していない状態である第２状態とを把握する。第１状態は、空調状態が安定度１００％の状態である。さらに、運転状況把握部２３６ａは、設定温度と吸込み温度との乖離の程度に応じて、現在の安定度が何％かを把握する。
【０１４６】
図１１に、運転状況把握部２３６ａによって把握される第１状態および第２状態の例を示す。図１１では、物件に空調機が三台（空調機１〜３）ある場合を例に挙げている。縦軸は空調機１，２，３の吸込み温度を示し、横軸は安定度が１００％になるまでに必要な時間を示す。安定度が１００％になるまでに必要な時間は、運転状況把握部２３６ａによって把握された安定度と、記憶部２３５が記憶する安定予測情報とに基づいて算出される。符号ＩＴ１〜ＩＴ３で示す線は、空調機１，２，３の吸込み温度の予測推移を示す。ここでは、空調機１の吸込み温度を符号ＩＴ１、空調機２の吸込み温度を符号ＩＴ２、空調機３の吸込み温度を符号ＩＴ３で表すこととする。破線ＳＴは、空調機４０，４０，・・・の設定温度を示す。空調機１の吸込み温度ＩＴ１は、現在、設定温度ＳＴに達しているため、運転状況把握部３６ａは、空調状態が安定している状態（第１の状態）であると把握する。空調機２，３の吸込み温度ＩＴ２，ＩＴ３は、設定温度ＳＴに達していないため、運転状況把握部３６ａは、空調状態は安定していない状態（第２の状態）であると把握する。
【０１４７】
ｂ）エネルギー消費量算出部
エネルギー消費量算出部２３６ｄは、上述の運転状況把握部２３６ａによって把握された空調機の現在の運転状況と、メーター値記憶領域に記憶されているデータとに基づいて、現在の制御を継続した場合の所定時間における空調機４０，４０，・・・のエネルギー消費量を算出する。
【０１４８】
ｃ）推定量算出部
推定量算出部２３６ｅは、各条件に応じてエネルギー抑制制御（第２制御）を行った場合に消費されるエネルギー量（推定消費量）を算出する。具体的には、運転状況把握部２３６ａによって把握された空調機４０，４０，・・・の安定度と、当該安定度に関連付けられた開始時刻（応答時刻）と、各空調機４０，４０，・・・のエネルギー消費量とに基づいて、条件Ａ〜Ｃ別に、消費されるエネルギー量を算出する。
【０１４９】
例えば、上述した空調機１の安定度が１００％、空調機２の安定度が７０％、空調機３の安定度が５０％であると運転状況把握部２３６ａが把握した場合、空調機１〜３は、それぞれ、５分後、１５分後、３０分後にエネルギー抑制制御を開始することになる（図９参照）。推定量算出部２３６ｅは、空調機１〜３が、それぞれエネルギー抑制制御を実行した場合の推定消費量を算出する。
【０１５０】
ｄ）抑制可能量判定部
抑制可能量判定部２３６ｆは、エネルギー消費量算出部２３６ｄによって算出されたエネルギー消費量と、推定量算出部２３６ｅによって算出された推定消費量とに基づいて、エネルギー抑制可能量を判定する。具体的には、現在の設定によるエネルギー消費量と、現在の設定を条件に応じて変更した場合のエネルギー消費量（推定消費量）との差を、エネルギー抑制可能量として判定する。より具体的には、空調機１〜３の所定時間におけるエネルギー消費量は、それぞれ、２５ｋＷ，５０ｋＷ，５０ｋＷであるので（図１０参照）、５分後のエネルギー抑制可能量は２５ｋＷ（空調機１のエネルギー消費量）、１５分後のエネルギー抑制可能量は７５ｋＷ（空調機１および２のエネルギー消費量の合計）、３０分後のエネルギー抑制可能量は１２５ｋＷ（空調機１〜３のエネルギー消費量の合計）である（図１２参照）。
【０１５１】
＜特徴＞
本実施形態では、空調機４０，４０，・・・の安定度と、エネルギー抑制制御の開始時刻（応答時刻）とを前提とする第２の条件を採用することにより、例えば、稼動開始直後や設定温度変更直後等の空調状態が安定していない状態で、空間における空調状態が安定していない場合のエネルギー抑制の程度を制限する。これにより、空調状態に大きく影響を与えないエネルギー抑制を実行することができる。
【０１５２】
＜変形例＞
（Ａ）
本実施形態では、条件記憶領域２３５ｂに、第２の条件を記憶させたが、条件記憶領域２３５ｂには、第２の条件に加えて第１実施形態に係る第１の条件を記憶させてもよい。これにより、多様なエネルギー抑制可能量を提示することが可能になり、電力会社１および物件Ａ，Ｂの双方にとって、より好ましいエネルギー抑制可能量を選択することができる。
【０１５３】
（Ｂ）
また、本実施形態では、空調状態（安定度）に応じて、関連付ける応答時刻を変動させたが、空調状態が安定していない場合、すなわち、吸込み温度が設定温度に達していない場合には、エネルギー抑制可能量を判定する対象から外すように設計されてもよい。さらに、空調状態が安定しない空調機については、下限能力を既存の設定値よりも高い値に一時的に変更して、推定消費量を算出し、その後エネルギー抑制可能量を判定するように設計してもよい。これにより、エネルギー抑制制御により生じうる不快な環境を低減させることができる。
【０１５４】
（Ｃ）
さらに、本実施形態では、空調状態を吸込み温度が設定温度に到達したか否かに応じて把握したが、他の方法により空調状態を把握してもよい。例えば、空調機４０，４０，・・・に対する何らかの設定が変更されてから所定時間が経過した場合に、安定したものと判定してもよい。
【０１５５】
（Ｄ）
本実施形態では、機器情報記憶領域２３５ｅに所定時間における各空調機４０，４０，・・・のエネルギー消費量に関する情報を予め記憶させ、抑制可能量判定部２３６ｆは、エネルギー抑制制御を実行した場合の推定消費量と、現在の制御を継続した場合のエネルギー消費量との差を用いてエネルギー抑制可能量を判定したが、機器情報記憶領域２３５ｅに予め所定時間における各空調機４０，４０，・・・の個々のエネルギー抑制可能量を記憶させておき、抑制可能量判定部２３６ｆは、各空調機４０，４０，・・・の個々のエネルギー抑制可能量に基づいて、条件別の、物件全体のエネルギー抑制可能量（個々のエネルギー抑制可能量の合計値）を判定してもよい。
【０１５６】
（Ｅ）
本実施形態では、室温情報として吸込み温度を用い、運転状況把握部２３６ａが、設定温度と吸込み温度とに基づいて、空調状態を把握した。ここで、室温情報は、吸込み温度センサによって得られる吸込み温度に代えて、他の温度センサで得られた値を用いてもよい。例えば、空調機４０，４０，・・・に別付けされた温度センサや、空調機４０，４０，・・・のリモコンに設けられた温度センサ等を用いてもよい。また、温度センサで得られた値そのまま用いてもよいし、温度センサで得られた値の補正値を用いてもよい。
【０１５７】
＜第３実施形態＞
次に、第３実施形態に係るエネルギー管理システム３００について説明する（図１３参照）。第３実施形態に係るエネルギー管理システム３００もまた、下位コントローラ３３０，３３０の構成を除き、第１実施形態に係るエネルギー管理システム１００と同様である。したがって、ここでも、下位コントローラ３３０の構成について説明する。
【０１５８】
下位コントローラ３３０は、図１４に示すように、主として、通信部３３１、表示部３３２、入力部３３３、タイマー部３３４、記憶部３３５、および制御部３３６から構成されている。ここで、通信部３３１、表示部３３２、入力部３３３、およびタイマー部３３４は、第１実施形態に係る通信部３１、表示部３２、入力部３３、およびタイマー部３４と同様の構成である。したがって、以下、記憶部３３５および制御部３３６について説明する。
【０１５９】
〔記憶部〕
記憶部３３５は、主としてハードディスクから構成されている。記憶部３３５には、後述する制御部３３６が読み出して実行可能なプログラムが記憶されている。また、記憶部３３５は、主として、運転状況記憶領域３３５ａ、条件記憶領域３３５ｂ、制御情報記憶領域３３５ｃ、メーター値記憶領域３３５ｄ、および運用スケジュール記憶領域３３５ｅを有する。なお、運転状況記憶領域３３５ａ、制御情報記憶領域３３５ｃおよびメーター値記憶領域３３５ｄについては、第１実施形態に係る運用状況記憶領域３５ａ、制御情報記憶領域３５ｃおよびメーター値記憶領域３５ｄと同様である。したがって、以下、条件記憶領域３３５ｂ、および運用スケジュール記憶領域３３５ｅについて説明する。
【０１６０】
ａ）条件記憶領域
条件記憶領域３３５ｂには、後述の抑制可能量提示部３３６ｇによって複数のエネルギー抑制可能量を提示するための条件が記憶されている。複数のエネルギー抑制可能量を提示するための条件とは、エネルギー抑制の開始時刻（応答時刻）に関する前提である（第２の条件）。これにより、条件記憶領域３３５ｂに記憶されている応答時刻別に、エネルギー抑制可能量が変動する。
【０１６１】
ｂ）運用スケジュール記憶領域
運用スケジュール記憶領域３３５ｅには、各物件Ａ，Ｂに対して設定された空調機４０，４０，・・・の運用スケジュールが記憶されている。運用スケジュールとは、図１５に記載されるように、複数の時間帯と、当該時間帯に対応する空調機４０，４０，・・・の能力とを関連付けて記憶させたものである。空調機４０，４０，・・・の能力は、定格能力に対して、何％の空調能力で動作させるかを示す。本実施形態に係る空調機４０，４０，・・・は、基本的に、当該運用スケジュールに従って制御される。
【０１６２】
〔制御部〕
制御部３３６は、主として、ＣＰＵ、ＲＯＭおよびＲＡＭから構成されており、上述の記憶部３３５に記憶されているプログラムを読み出して実行する。
【０１６３】
制御部３３６は、図１４に示すように、主として、運転状況把握部３３６ａ、提示要求受付部３３６ｂ、メーター値取得部３３６ｃ、エネルギー消費量算出部３３６ｄ、推定量算出部３３６ｅ、抑制可能量判定部３３６ｆ、抑制可能量提示部３３６ｇ、提示制御部３３６ｈ、選択指令受付部３３６ｉ、制御指令生成部３３６ｊ、および制御指令送信部３３６ｋとして機能する。なお、運転状況把握部３３６ａ、提示要求受付部３３６ｂ、メーター値取得部３３６ｃ、抑制可能量提示部３３６ｇ、提示制御部３３６ｈ、選択指令受付部３３６ｉ、制御指令生成部３３６ｊ、および制御指令送信部３３６ｋは、第１実施形態に係る運転状況把握部３６ａ、提示要求受付部３６ｂ、メーター値取得部３６ｃ、抑制可能量提示部３６ｇ、提示制御部３６ｈ、選択指令受付部３６ｉ、制御指令生成部３６ｊ、および制御指令送信部３６ｋと同様である。したがって、ここでは、エネルギー消費量算出部３３６ｄ、推定量算出部２３６ｅおよび抑制可能量判定部２３６ｆについて説明する。
【０１６４】
ａ）エネルギー消費量算出部
エネルギー消費量算出部３３６ｄは、運転状況把握部３３６ａによって把握された設備機器の現在の運転状況と、メーター値記憶領域に記憶されている値とに基づいて、現在の制御を継続した場合の所定時間における空調機４０，４０，・・・のエネルギー消費量を算出する。
【０１６５】
ｂ）推定量算出部
推定量算出部３３６ｅは、各条件に応じてエネルギー抑制制御（第２制御）を行った場合に消費されるエネルギー量（推定消費量）を算出する。具体的には、運用スケジュールで設定されている空調能力を、時間帯に応じてどの程度低下させることができるかに関する情報（低下許容能力）を予め設定しておき、低下許容能力で空調機４０，４０，・・・を動作させた場合のエネルギー消費量が推定される。
【０１６６】
ｃ）抑制可能量判定部
抑制可能量判定部３３６ｆは、エネルギー消費量算出部３３６ｄによって算出されたエネルギー消費量と、推定量算出部３３６ｅによって算出された推定消費量とに基づいて、エネルギー抑制可能量を判定する。例えば、低下許容能力が一定であった場合に抑制可能量判定部３３６ｆによって判定されるエネルギー抑制可能量を説明する（図１６参照）。図１６の縦軸には、運用スケジュールに基づいた空調機４０，４０，・・・の制御により消費されるエネルギー量を示し、横軸には、運用スケジュールに基づいた各制御の開始時刻を示す。図１６の破線Ｌ１は、上述の推定量算出部３３６ｅによって算出される低下許容能力におけるエネルギー消費量を示す。抑制可能量判定部３３６ｆは、エネルギー消費量と推定消費量との差（図１６の斜線で示す部分）をエネルギー抑制可能量として判定する。これにより、抑制可能量判定部３３６ｆは、エネルギー抑制制御の開始時刻と、当該開始時刻における抑制可能量とを判定する（図１７参照）。
【０１６７】
＜特徴＞
上記実施形態に係るエネルギー管理システム３００では、下位コントローラ３３０，３３０が、運用スケジュールを考慮したエネルギー抑制可能量を、上位コントローラ１０に提示する。すなわち、各物件Ａ，Ｂに対してそれぞれ設定されている制御内容から大きく外れることなく、制御内容に沿ったエネルギー抑制可能量を提示することができる。したがって、例えば、各物件Ａ，Ｂが、複数店舗を有するチェーン店の店舗であった場合、本社または親会社は、各店舗を効果的に管理するため、各店舗に対して空調機４０，４０，・・・運用スケジュールを設定することが多い。この場合であっても、各物件Ａ，Ｂは、本社または親会社からの要求を踏まえたエネルギー抑制可能量を提示することができる。
【０１６８】
＜変形例＞
（Ａ）
本実施形態では、抑制可能量判定部３３６ｆが、運用スケジュールに基づいた制御を継続した場合のエネルギー消費量と、低下許容能力で空調機４０，４０，・・・を動作させた場合の推定消費量との差を用いて、エネルギー抑制可能量を判定したが、記憶部３３５に、運用スケジュールに基づいた、空調機の個々のエネルギー抑制可能量を予め記憶させておき、抑制可能量判定部３３６ｆは、エネルギー抑制制御の開始時刻と、当該開始時刻に許容しうる個々のエネルギー抑制可能量とに基づいて、条件別の、物件全体のエネルギー抑制可能量（個々のエネルギー抑制可能量の合計値）を判定してもよい。
【０１６９】
＜第４実施形態＞
次に、第４実施形態に係るエネルギー管理システム４００について説明する（図１８参照）。エネルギー管理システム４００では、設備機器としての空調機４０，４０、照明５０，５０、および換気扇６０，６０により消費されるエネルギーを管理している。エネルギー管理システム４００もまた、下位コントローラ４３０，４３０の構成を除き、第１実施形態に係るエネルギー管理システム１００と同様である。したがって、ここでも、下位コントローラ４３０の構成について説明する。
【０１７０】
下位コントローラ４３０は、図１９に示すように、主として、通信部４３１、表示部４３２、入力部４３３、タイマー部４３４、記憶部４３５、および制御部４３６から構成されている。ここで、通信部４３１、表示部４３２、入力部４３３、およびタイマー部４３４は、第１実施形態に係る通信部３１、表示部３２、入力部３３、およびタイマー部３４と同様の構成である。したがって、以下、記憶部４３５および制御部４３６について説明する。
【０１７１】
〔記憶部〕
記憶部４３５は、主として、ハードディスクから構成されている。記憶部４３５には、後述する制御部４３６が読み出して実行可能なプログラムが記憶されている。また、記憶部４３５は、主として、運転状況記憶領域４３５ａ、条件記憶領域４３５ｂ、制御情報記憶領域４３５ｃ、メーター値記憶領域４３５ｄ、および機器情報記憶領域４３５ｅを有する。なお、制御情報記憶領域４３５ｃおよびメーター値記憶領域４３５ｄについては、第１実施形態に係る制御情報記憶領域３５ｃおよびメーター値記憶領域３５ｄと同様である。したがって、以下、運転状況記憶領域４３５ａ、条件記憶領域４３５ｂ、および機器情報記憶領域４３５ｅについて説明する。
【０１７２】
ａ）運転状況記憶領域
運転状況記憶領域４３５ａには、後述する運転状況把握部４３６ａによって取得された設備機器の運転状況が記憶されている。設備機器には、上述したように、空調機４０、照明５０、および換気扇６０が含まれる。なお、運転状況には、設備機器の運転／停止、稼働時間、および稼働率が含まれる。空調機４０の運転状況については、さらに、設定温度、吸込み温度、および稼動時の運転能力（％）等が含まれる。
【０１７３】
ｂ）条件記憶領域
条件記憶領域４３５ｂには、後述する抑制可能量提示部４３６ｇによって複数のエネルギー抑制可能量を提示するための条件が記憶されている。複数のエネルギー抑制可能量を提示するための条件は、エネルギー抑制を開始する時刻（応答時刻）に関する前提である（第２の条件）。当該条件は、複数種類の設備機器の応答可能時刻を考慮して設定される。これにより、条件記憶領域４３５ｂに記憶されている応答時刻別に、エネルギー抑制可能量が変動する。
【０１７４】
ｃ）機器情報記憶領域
機器情報記憶領域４３５ｅには、図２０に示すように、物件内に設置された設備機器の種類と、当該設備機器の応答可能時刻と、当該設備機器の所定時間におけるエネルギー消費量とが関連付けて記憶されている。応答可能時間とは、エネルギー抑制制御を開始できる時刻を示す。ここでは、設備機器の種類として、照明、空調機、およびその他機器が記憶されている。その他機器に、図１８の換気扇６０が含まれる。上位コントローラ１０から選択指令が送られると、照明５０は直ちにエネルギー抑制制御が可能であり、空調機４０は５分後、その他機器６０は１５分後にそれぞれエネルギー抑制が可能である。照明５０の所定時間におけるエネルギー消費量は２５ｋＷである。また、空調機４０の所定時間におけるエネルギー消費量は５０ｋＷである。また、その他機器の所定時間におけるエネルギー消費量は５０ｋＷである。
【０１７５】
〔制御部〕
制御部４３６は、主として、ＣＰＵ、ＲＯＭおよびＲＡＭから構成されており、上述の記憶部４３５に記憶されているプログラムを読み出して実行する。
【０１７６】
制御部４３６は、図１９に示すように、主として、運転状況把握部４３６ａ、提示要求受付部４３６ｂ、メーター値取得部４３６ｃ、エネルギー消費量算出部４３６ｄ、推定量算出部４３６ｅ、抑制可能量判定部４３６ｆ、抑制可能量提示部４３６ｇ、提示制御部４３６ｈ、選択指令受付部４３６ｉ、制御指令生成部４３６ｊ、および制御指令送信部４３６ｋとして機能する。なお、提示要求受付部４３６ｂ、メーター値取得部４３６ｃ、抑制可能量提示部４３６ｇ、提示制御部４３６ｈ、選択指令受付部４３６ｉ、制御指令生成部４３６ｊ、および制御指令送信部４３６ｋは、第１実施形態に係る提示要求受付部３６ｂ、メーター値取得部３６ｃ、抑制可能量提示部３６ｇ、提示制御部３６ｈ、選択指令受付部３６ｉ、制御指令生成部３６ｊ、および制御指令送信部３６ｋと同様である。したがって、ここでは、運転状況把握部４３６ａ、推定量算出部４３６ｅ、および抑制可能量判定部４３６ｆについて説明する。
【０１７７】
ａ）運転状況把握部
運転状況把握部４３６ａは、所定時間間隔（本実施形態では、５分間隔）で、設備機器４０，５０，６０の運転状況を把握する。運転状況には、上述したように、設備機器４０，５０，６０の運転／停止、稼働時間、および稼働率が含まれる。空調機４０の運転状況については、さらに、設定温度、吸込み温度、および稼動時の運転能力（％）等が含まれる。運転状況把握部４３６ａによって把握された、設備機器４０，５０，６０の運転状況は、上述の運転状況記憶領域４３５ａに記憶される。
【０１７８】
ｂ）エネルギー消費量算出部
エネルギー消費量算出部４３６ｄは、上述の運転状況把握部４３６ａによって把握された設備機器の現在の運転状況と、メーター値記憶領域に記憶されているデータとに基づいて、現在の制御を継続した場合の所定時間における設備機器４０，５０，６０のエネルギー消費量を算出する。
【０１７９】
ｃ）推定量算出部
推定量算出部４３６ｅは、各条件に応じてエネルギー抑制制御（第２制御）を行った場合に消費されるエネルギー量（推定消費量）を算出する。
【０１８０】
例えば、直ちにエネルギー抑制制御を実行する場合、エネルギー抑制制御を実行できる設備機器は、照明５０のみであるため、空調機４０およびその他の機器によるエネルギー消費量を推定消費量として算出する。また、５分後にエネルギー抑制制御を実行する場合、エネルギー抑制制御を実行できる設備機器は、照明５０および空調機４０であるため、その他の機器によるエネルギー消費量を推定消費量として算出する。同様に、１５分後にエネルギー抑制制御を実行する場合、全設備機器についてエネルギー抑制制御を実行できるため、全設備機器についてエネルギー抑制制御を実行した場合の推定消費量を算出する。
【０１８１】
ｄ）抑制可能量判定部
抑制可能量判定部４３６ｆは、エネルギー消費量算出部４３６ｄによって算出されたエネルギー消費量と、推定量算出部４３６ｅによって算出された推定消費量とに基づいて、エネルギー抑制可能量を判定する。具体的には、現在の設定によるエネルギー消費量と、現在の設定を条件に応じて変更した場合のエネルギー消費量との差を、エネルギー抑制可能量として判定する。
【０１８２】
なお、抑制可能量判定部４３６ｆは、条件記憶領域４３５ｂに記憶されている条件にそれぞれ対応するエネルギー抑制可能量を判定する。すなわち、本実施形態では、図２１に示すように、条件Ａ〜条件Ｃのそれぞれに対応した三種類のエネルギー抑制可能量が判定される。
【０１８３】
＜特徴＞
上記実施形態では、条件記憶領域４３５ｂに、複数種類の設備機器の応答可能時刻を考慮した条件が記憶されている。設備機器の種類によっては、その性質上、即座にエネルギー抑制制御を行っても不具合が生じないものと、エネルギー抑制制御までに一定時間を要するものとが存在する。本実施形態に係る条件記憶領域４３５ｂには、設備機器の応答可能時刻を考慮した条件が記憶されているため、物件Ａ，Ｂでの不具合を低減させることができる。
【０１８４】
＜変形例＞
（Ａ）
本実施形態では、条件記憶領域４３５ｂに、設備機器の種類別に異なる応答可能時刻を設定し、当該応答可能時刻に関した条件が記憶されていたが、さらに、応答可能時刻を設備機器の設置場所に応じて異なる値に設定してもよい。
【０１８５】
（Ｂ）
本実施形態では、機器情報記憶領域４３５ｅに、物件内に設置された設備機器の種類と、当該設備機器の応答可能時刻と、当該設備機器の所定時間におけるエネルギー消費量とが関連付けて記憶され、抑制可能量判定部４３６ｆは、エネルギー抑制制御を実行した場合の推定消費量と、現在の制御を継続した場合のエネルギー消費量との差を用いてエネルギー抑制可能量を判定した。しかし、所定時間における設備機器のエネルギー消費量に代えて、所定時間における設備機器の個々のエネルギー抑制可能量を、機器情報記憶領域４３５ｅに予め記憶させておき、抑制可能量判定部４３６ｆは、当該個々のエネルギー抑制可能量に基づいて、条件別の、物件全体のエネルギー抑制可能量（個々のエネルギー抑制可能量の合計値）を判定してもよい。
【０１８６】
＜その他の実施形態＞
上記第１実施形態から第４実施形態における各条件記憶領域３５ｂ、２３５ｂ、３３５ｂ、４３５ｂに記憶された条件を全て記憶させた下位コントローラを設け、全ての条件のうち、一または複数の条件に基づいて判定した複数のエネルギー抑制可能量が提示されるように設計されていてもよい。
【産業上の利用可能性】
【０１８７】
本発明は、エネルギー消費の抑制および各物件における快適性の確保の双方を考慮したエネルギー管理システムとして有用である。
【符号の説明】
【０１８８】
１  電力会社
２  物件
６  電源
７  電力メーター
３０，２３０，３３０，４３０  下位コントローラ
４０  空調機
５０  照明
６０  換気扇
１００，２００，３００，４００  エネルギー管理システム
【先行技術文献】
【特許文献】
【０１８９】
【特許文献１】特開２００５−１０７９０１号公報